(57)【要約】【課題】スクラッチカードにおいて、秘密情報を秘匿する手段はスクラッチ隠蔽層のみであって、不正者が容易にその偽造品を作製したり、覗き見できるという問題を有していた。また、その偽造を防止するため、最上層にホログラム層を設けたスクラッチカードも開発されたが、第三者がそのホログラム層を視認できるため、不正者が容易に類似の光学的効果を持つスクラッチカードを偽造できるという問題があった。【解決手段】スクラッチカードのスクラッチ隠蔽部そのものにホログラムレリーフを設けるという高い技術を要する構成とし、且つ、そのスクラッチ隠蔽部をカードに埋め込むことで、ホログラムの高い意匠性を確保しつつ、スクラッチ隠蔽部の偽造や変造を困難とした、偽造防止効果の高いスクラッチカードを提供する。【選択図】  図１
2015009404.tif 000002
【特許請求の範囲】
【請求項１】
カード基材上に設けられた秘密情報が、スクラッチ隠蔽層で覆われていることを特徴とするスクラッチカードであって、前記スクラッチ隠蔽層の最表面にホログラムレリーフが形成されており、且つ、前記スクラッチ隠蔽層が前記カード基材に埋め込まれて、前記スクラッチ隠蔽層の前記最表面が、前記カード基材の表面と面一、または、前記カード基材の表面から凹んだ位置にあり、前記スクラッチ隠蔽層をスクラッチにより除去することにより、前記秘密情報が視認可能となることを特徴とするスクラッチカード。
【請求項２】
前記ホログラムレリーフの凹凸面の上に、反射性薄膜層が前記ホログラムレリーフの凹凸面に追従するように接して設けられていることを特徴とする請求項１に記載のスクラッチカード。
【請求項３】
前記カード基材と前記スクラッチ隠蔽層の間に、前記秘密情報を覆うように接着層が設けられていることを特徴とする請求項１または２に記載のスクラッチカード。
【請求項４】
前記スクラッチ隠蔽層の前記カード基材側とは反対の面に、地紋印刷が施されていることを特徴とする請求項１から３の何れかに記載のスクラッチカード。
【請求項５】
前記スクラッチ隠蔽層が、平均粒子径１．０μｍ〜１０μｍの顔料及び、平均粒径０．０１μｍ〜０．１μｍの微粒子顔料を含んでいることを特徴とする請求項１から４の何れかに記載のスクラッチカード。
【発明の詳細な説明】
【技術分野】
【０００１】
本発明は、カード基材上の秘密情報表示部を隠蔽するためのスクラッチ隠蔽層が設けられたスクラッチカードであって、カード基材上の秘密情報表示部を覆うようにスクラッチ隠蔽層を設けることで、その秘密情報を隠蔽することができ、そのスクラッチ隠蔽層をスクラッチにより削り取ると、その秘密情報を視認できるようになるスクラッチカードに関する。
【０００２】
本発明において、「カード基材」とは、秘密情報表示部を設けることができるプラスチックカードそのもの、もしくは、秘密情報を記録可能な種々のシート状、カード状、その他の形状を有するものを意味し、その素材も、プラスチック材料、金属材料、その他あらゆる材料を用いたものでよいが、少なくとも、本発明のスクラッチカードとして、その秘密情報を形成、且つ、隠蔽することができ、さらに、スクラッチ隠蔽層をカード基材内へ埋め込むことができるものである。
【０００３】
また、本発明において、「秘密情報」とは、「その秘密情報を知り得る正当な権利者にのみ開示されるべき情報」を意味し、その「秘密情報」をカード基材上に設ける手段は、適宜な印刷方法や、個別情報を形成できるインクジェット方式を用いた方法、さらには、レーザー印字等、その「情報」としての文字、図形、記号、その他の、少なくとも目視認識可能な、あらゆる「情報」を形成可能な方法を用いることができるものである。
【０００４】
もちろん、そのカード基材上の「秘密情報」と、スクラッチカードが担持する別の「情報」（秘匿されていても開示されていてもよい。）との単なる組み合わせや、それらの「情報」を各種の情報合成手段等（暗号化処理も含まれる。）により合成して、「正当な権利者に開示される情報が形成される」ものであってもよい。
【０００５】
カード基材上に、もしくは、カード基材の平滑層上に「秘密情報」を設けた部分を、「秘密情報」表示部、「秘密情報」印字部、または、「秘密情報」形成部と、適宜、表現する。
【０００６】
さらに、本発明において、「スクラッチ」とは、コインや爪等によって「対象となる層」を削り取る行為であって、「対象となる層」を部分的、もしくは、全面的に除去する行為を意味する。特に、「対象となる層」の背後にあるものを視認することが目的であるため、「部分的な削り取り」であっても、「削り取った領域」においては、「対象となる層」の全てを、削り残し無く、除去することとなる。（これ以下、このスクラッチ操作を「スクラッチオフ」とも言う。）
本明細書において、配合を示す「部」は特に断わらない限り質量基準である。また、  「ホログラム」は、回折格子などの光回折性機能を有するものも含む。
【背景技術】
【０００７】
（主なる用途）通信網やコンピュータネットワークの普及に加え、データを送受信するコンピュータ端末の普及及びその携帯化が進むとともに、わが国においても第三次産業の占める割合が急速に伸び、様々な業者、さらには、公的機関によっても、様々なサービスの提供が行われている。
【０００８】
第三次産業とは、情報通信業、運輸業、郵便業、卸売業、小売業、金融業、保険業、不動産業、物品賃貸業、学術研究または専門技術サービス業、宿泊業、飲食サービス業、生活関連サービス業、娯楽業、教育または学習支援業、医療または福祉関連、電気事業、ガス事業、熱供給事業、水道業、公務、理容美容関連、複合サービス業、レジャーサービス、レンタルサービス、アウトソーシングサービス、交通サービス、外食サービス、エネルギー、エンターテインメント、コンサルティング、その他サービス業と位置づけられているが、このような第三次産業に携わる業者や公的機関は、物品の販売のみならず、特定のサービスの提供によっても対価を得ているため、物品を販売する形態とは異なる形態によっても、顧客や消費者へのサービス提供、もしくは、顧客や消費者（以下、顧客等ともいう。）からの料金や対価（以下、料金等ともいう。）の回収を行っていることが多い。
【０００９】
例えば、その料金や対価の回収方法として、顧客等の銀行口座から、利用したサービスに相当する対価を自動的に引き落とす方法や、信販会社に対してクレジット契約を予め締結しておき、信販会社を介して利用料金を決済する方法などは、ごく一般的な料金等の回収の形態であり、電気料金、ガス料金、水道料金などの公共サービスや、種々の情報提供サービスなどにおける料金等の決済の手法として広く利用されている。そして、プリペイドカードの販売という形式により、将来提供されるべきサービスに対して、料金等の回収を先に行ってしまう方法も普及している方法であり、料金や、運賃、その他の対価の回収に広く利用されている。
【００１０】
さらに、販売する「物品」そのものが、データ端末装置、パーソナルコンピュータ、デスクトップパソコン、オンライン対応ゲーム機、電話回線機器、ファクシミリ、モデム等のデータ回線終端装置、ラジオ受信機や、テレビ受像機等の通信機器（情報機器）、特に携帯して利用可能な通信機器である携帯通信機器（端末）や、携帯して利用可能な情報機器である携帯情報機器（端末）、すなわち、携帯音楽プレーヤー、ＩＣレコーダー、ポータブルＤＶＤプレーヤー、ポケットコンピュータ、スマートブック、タブレットＰＣ、ＰＤＡ、電卓、携帯ゲーム機、デジタルカメラ、ビデオカメラ、ラップトップコンピュータ、ノートパソコン、ハンドヘルドパソコン、携帯プリンター、携帯スキャナ、携帯モデム、電子辞書、電子手帳、電子書籍、ポータブルデータターミナル、携帯電話端末、ＰＨＳ端末、ポケットベル端末、携帯ラジオ、携帯テレビ、ワンセグ、腕時計、懐中時計、補聴器、ハンドヘルドＧＰＳ、防犯ブザー、テレビ電話、ＧＰＳ受信機、カーナビゲーション端末、リモコン端末、電子マネー、デジタルキー、デジタルロックやポイントカード用のＩＣシートを用いて顧客に届けられるものとなり、音楽、映画、ゲームソフト等の文字、画像、映像、動画、音声、映画の著作物や、Ｗｅｂアニメ等のマルチメディア関連のコンテンツを、これらの「物品」として、ダウンロード販売、クラウドコンピューティング、音楽配信、ＩＰ放送、インターネット放送、インターネットテレビ、インターネット放送ネットワーク、インターネットラジオ、ポッドキャスト、ビデオ・オン・デマンド、動画共有サービス等の手段を用いて配信する方法も広く利用されている。
【００１１】
そして、これらの付加価値の対象である「物品」そのものや、上記した様な種々の「サービス」を受けることができる「資格」や「権利」を顧客に付与するもの、すなわち、それらの付加価値の受領、または、利用を要求している者が、正当な「資格」、または、「権利」を保有している者であるか否かを判定する媒体として、各種のカード類が広く一般的に用いられている。
【００１２】
これらカード類は、身分を証明するＩＤカード、会員カードや、金銭的価値を有するキャッシュカード、クレジットカード、プリペイドカード、定期券、もしくは、回数券等として多くの分野で使用されており、その数は増加の一途をたどっている。この中で、前払い方式でサービスを提供する際の前払証票、いわゆるプリペイドカードは、特に数量的な増加率が高く、一定単位の金額を予め支払い、その金額分の価値情報を利用できるものとして広く普及している。
【００１３】
そして、そのカード上には、価値情報や識別情報が、カード基材に印字または印刷表示した絵柄や文字情報として記録され、また、カード基材上に設けられた磁気記録部または光学記録部、場合によってはＩＣチップに機械読み取り情報として記録されており、用途に応じた様々な情報を保持し、様々な場面でそれらの情報を利用可能とするものである。
【００１４】
そのプリペイドカードの代表とも言えるテレホンカードにおいては、価値情報や識別情報がテレホンカードそのものに記録され、電話端末においてテレホンカードを使用する都度、その通話料金をテレホンカードに記録してある価値情報から減額し、その残金を再びテレホンカードに記録しておくものであったが、その後、テレホンカードの偽造や変造に対処する方式として、テレホンカード上にはランダムな「番号」のみを印字しておいて、テレホンカードの発行、登録、販売、利用、減額処理、登録抹消等を管理しているホストコンピュータ上にその「番号」に対応した価値データを持たせ、テレホンカードの使用者が、そのホストコンピュータにアクセスした時に利用金額分の通話を行うことができるという、いわゆる「スクラッチオフ方式のテレホンカード」、すなわち、秘匿性の許可番号（秘密情報。）を交付する形式のテレホンカードを使用する方式が実用化され、そのカード発行数量も多くなってきている。
【００１５】
この方式では、流通段階において許可番号の漏洩が発生すると、その許可番号を不正に入手した者による不正サービス受給や、正規購入者に対して正当な利用を提供できなくなる等のトラブルを招くのみならず、もはや、「実際にその許可番号を利用した行為」が、正規購入者による行為なのか、もしくは、不正入手者による行為なのかを判別する手段も無くなってしまい、不正行為の特定ができず、従って、その損害額の特定、そして、その特定に基づく損害賠償請求も不可能となる。
【００１６】
このため、テレホンカードにその許可番号を印字した後、その許可番号が第三者に簡単に盗まれることを防止する目的で、削り取り（スクラッチ）が可能な隠蔽層でその許可番号を一旦覆って流通させ、テレホンカード購入者（正規購入者）が、その隠蔽層をスクラッチして除去して、その下に隠蔽されている許可番号を読み取り、その許可番号を利用するという方式である、「スクラッチオフ方式」の採用が必須となっている。
【００１７】
例えば国際電話のアクセス方式として、中継基地となる電話会社（中継会社という。）と契約し、料金先払いで所定の金額（例えば、千円。）を支払うことによりその契約者個有のナンバーが記載されたカードが発行され、国際電話を掛ける際にはカードに表示されたアクセスナンバー（フリーダイヤル。これが秘密情報となる。）を入力して中継会社にアクセスし、次いで契約者個人に与えられた個人ナンバーを入力したのち、相手方の電話番号を入力することによって通話ができるシステムが、国際電話を低料金で掛けられ、且つ、中継会社へアクセスした際に所定秒時コマーシャルを流すことによる宣伝媒体としての利用を図ることができる方式として広く普及しつつある。
【００１８】
このシステムに加入すると、個人に与えられた個人ナンバーはスクラッチ加工（スクラッチ可能な隠蔽処理という意味。）により外部からは完全に見えないように処理されており、このスクラッチ加工部分を削るようにして剥すことにより初めて個人ナンバーが現われるようになされている。
【００１９】
また、従来より、イベントくじやゲーム用シートにおいて、秘密情報である、例えば、「あたり」又は「はずれ」に相当する絵柄や文字や番号などのくじの結果をスクラッチが可能な隠蔽層で一時的に隠蔽した後、このスクラッチが可能な隠蔽層を爪やコインなどで擦ることで、その隠蔽層の下に表示された秘密情報の内容を見ることができるようにしたスクラッチが可能な隠蔽層付き印刷物は知られている。これらの印刷物は、一般的に複数個所にスクラッチが可能な隠蔽層を設けておき、その中から「あたり」と思われる１ヶ所の隠蔽層をコイン等で削り取ることで、下層に表示された秘密情報の表示を目視で確認するもので、もし仮に２ヶ所以上の隠蔽層を削り取った場合は、無効とするなどの規則とする場合が多い。
【００２０】
さらに、スピードくじや、ファーストフード店等においてサービス的に用いられているチケットは、カード基材に数字や文字等（秘密情報）を印刷した後、その上にスクラッチが可能な隠蔽層を印刷して、下地の印刷が見えないように構成され、くじの購入者やチケットを受け取った者が、爪や硬貨を用いてその隠蔽層を擦り取ると、下地に印刷されている数字や文字等が出現する。この出現した数字や文字を、予め決定されている数字や文字等と比較して、合致した場合には当選が決まるシステム（秘密情報がある意味において暗号情報となっており、他の情報との照合、いわば、解読により、「当たり」が決まる仕組み。）となっている
また、抽せんコードの如き機密の個別データをスクラッチが可能な隠蔽層で隠蔽してあるインスタント抽選付ゲームカードやインスタント抽選付商品等においては、機密の個別データを複雑なゲームにも利用できるものとし、その隠蔽層を擦り取ると、「あたり」の文字や懸賞番号等のメッセージが浮かび上がるように構成されている
このように「スクラッチ方式」は、いわば「簡易くじ」としても用いられており、その用途としては、宝くじなどの各種くじ等の他、商品の購入時の景品提供の手段、教習具や、ケームシートがあるが、より具体的には、携帯電話ショップで、スクラッチ枠を１１か所設け、その内５か所だけを擦って、自分の携帯電話番号といくつ一致するかでもらえる景品が決まり、裏面には新規契約の方への特別割引クーポン券がついているもの、大手ドラッグストアで、ポイントカード会員獲得のために、ポイント５倍などのスクラッチに使用するもの、会員登録したその日からクーポン券として利用可能で、クーポン券の利用期間を設けるもの、大手鶏卵メーカーで、大手スーパー量販店様への卵パックの中に封入し、当たりが出たら「当たり券」をハガキに貼って裏面記載の係りあてに応募すると、購入先で使用できる商品券がプレゼントされるもの、住宅展示場、ファーストフードショップ、遊園地、観光スポット、スポーツ観戦に使用されるもの等、さらには、食品業界、ファッション業界、美容業界や医療関係等用の、擦った後に削りカスが出にくいもの等、または、被封くじであって、当せんパターンがスクラッチ印刷され、これを削ることにより抽せんを行う、インスタントくじ、スクラッチ宝くじ等、スクラッチ可能な隠蔽層をパターン状に複数設けて、それらの何れかを削って、所定のマークを出すことができた場合に「当たり」とするもの、そのマークを出すまでの削り回数や、削った軌跡で「当たり」のレベル（例えば商品価格）を定めるもの、そのパターンが、縦横マス目状に設けられ、そのマークがそのマス目どの位置にあるかによって、「当たり」のレベルを定めるもの等がある。
【００２１】
また、抽選用品としてのスクラッチ三角くじやおみくじ用、キャラクター抽選会、おもちゃの抽選会、菓子等食品の抽選会、生活用品の抽選会等の抽選会景品セット用、サイコロを使う景品セット、輪なげや射的景品セット、おもちゃ釣りや千本つり景品セット、穴あけ宝箱景品セット、ガチャガチャやカプセル景品セット、つかみどりやすくいどり景品セット、詰め放題や玉入れ遊び景品セット、季節の抽選セットや景品抽選セット、夏の花火景品セット、夏の縁日景品抽選セット、夏のサマーグッズ抽選セット、クリスマス景品抽選セット、お正月景品抽選セット、年末年始景品抽選セット等のイベント景品セット用として、
さらには、来店促進のためのお買物券や割引券等、店頭でのイベントなどに用いられる名刺サイズやハガキサイズのもの、イベント案内のダイレクトメールにスクラッチを活用するもの、店頭への誘導にハガキだけでなく、Ｖ折やＺ折などの圧着ハガキＤＭへスクラッチ印刷したもの等、１日１回で数十回スクラッチすると、その回数に応じて、景品引換券や、家具や洋服等の店頭で販売している商品が手に入るものや、スクラッチカードの四つ角に決まったアイテムが用意され、これを参考にすれば、欲しいアイテムを効率良く集めることができるように構成されているもの等がある。
【００２２】
このような「スクラッチ方式」の普及により、その「秘密情報」として、単純な「あたり」または「はずれ」の文字や、シリアルナンバー等の番号類のみならず、バーコードや二次元バーコード等の機械認識コード類、顧客データ、メッセージ等、あらゆる語句や記号、もしくは特定のマーク等の図形を固定もしくは可変で構成するもの、さらには、これらの「情報」が発色機構や消色機構を利用して浮き出るものや、特定の光源によってのみ、その「秘密情報」を読み取ることができるものなども提案されている。
（先行技術）上記したように、銀行口座からの自動引き落としや、信販会社を介した決済という方法は、非常に堅実な方法ではあるが、事前の手続きが面倒で、また、サービスの利用開始までに時間がかかるという問題があり、公共料金など利用が不可欠なサービスについては、有効な料金回収方法であるとしても、顧客にとって恣意的なサービスについての料金回収方法としては、必ずしも適切ではなく、利用料金の支払いのための手続きが面倒であったり、実際に利用が可能になるまでに何日も待たされたりすれば、顧客はそのサービスの利用に躊躇せざるを得なくなる。
【００２３】
そのため、プリペイドカードを用いた料金回収方法が、非常に手軽な方法であり、サービスによっては非常に有効な方法であることから、すなわち、通常の物品を購入する場合と同じ形態で、サービスに対する対価の支払いを行うことができ、かつ、プリペイドカードを購入した時点からそのサービスを利用できるようになることから、いわゆる「プリペイドカード方式」が拡大したが、その半面、プリペイドカードの偽造や変造という問題が生じるに至り、すなわち、一般的なプリペイドカードは、磁気的に残存対価を記録する方式を採っているため、この磁気的な記録の改竄という方法による不正利用が蔓延する結果となり、従来の磁気記録を利用した「プリペイドカード方式」は、安全性の面で些か問題があるのではないかとの認識が広がった。
【００２４】
このような理由も追い風となり、カードそのものには金額等の記録を保持せず、「認証番号等」のみを「秘密情報」として保持させて、そのカードを購入した者がその「番号等」を「申告する」ことにより種々のサービスを受けることができるという新規な「プリペイドカードサービス」が普及した。この「番号等」は、「秘密情報」として秘匿するために、スクラッチが可能な隠蔽層等により隠蔽されているため、従来の磁気型プリペイドカードに対して、番号型プリペイドカードとも呼ばれる。
【００２５】
この番号型プリペイドカードには、公衆電話用カード、携帯電話用カード、国際電話用シートの通信系、ゲームソフトや音楽ソフト、その他有料ソフトの決済シートの決済系、ショッピングカード、ギフトカード、コインシートの物品購入系等が実用化されている。
【００２６】
本発明のスクラッチカードは、このような、付加価値のある「秘密情報」が設けられたシートの「カード基材」、すなわち、そのシートを構成している「カード基材」であってその上に「秘密情報」が設けられているものに対して、その「秘密情報」を覆うようにスクラッチ隠蔽層を設けて、その「秘密情報」を第三者に対して秘匿し、その「秘密情報」の開示を受けられる正当な権利を有する者のみが、そのスクラッチカードのスクラッチ隠蔽層をスクラッチして初めて、その「秘密情報」を確認することができるようにするものである。
【００２７】
この目的を達成するための技術として、特許文献１には、カードそのものには金額等の記録を保持せず、「認証番号等」のみを秘密情報として保持させて、そのカードを購入した者がその「番号等」を「申告する」ことにより種々のサービスを受けることができる、これらのプリペイドカードサービスとして、この「番号等」を、秘密情報として秘匿するために、スクラッチが可能な隠蔽層等で隠蔽する技術が開示されている。
【００２８】
また、インスタント抽選券、秘密情報伝達カード、クイズシートで、一時的に秘密にしたい情報をシート上にプリンター等で印字表示し、それらの秘密情報表示部の上層に引っ掻くことで破壊されるスクラッチ可能な隠蔽層を形成させてなる「スクラッチカード」が既に広く用いられているが、これらのスクラッチ可能な隠蔽層は、比較的容易に入手できる原料から形成することが可能であるため、偽造や変造を行うことも容易である。
【００２９】
例えば、販売前の段階において、販売関係者が宝くじ等のインスタント抽選券のスクラッチ可能な隠蔽層を一旦引っ掻いて剥離し、抽選番号を見て当たりの抽選券と外れの抽選券を事前に確認して判別しておき、再度抽選番号の表示部分上にスクラッチ可能な隠蔽層を再形成することで、見かけ上、元の状態に戻しておき不正行為が行われたことを気づかれないようにカムフラージュし、当たりの抽選券を知り合いに販売することで特定の客に儲けさせる等の不正行為を働くことも物理的に可能であるため、この対策として、スクラッチ可能な隠蔽層に香料を含んだマイクロカプセルを入れ、真偽判定をする方法が提案されている。しかし、この方法では、正当な使用者がスクラッチした際、バラの匂い等、嗅覚に訴える販促的効果は期待できるが、不正者が一度スクラッチをした後、再度同様の匂いの香料を含むスクラッチ可能な隠蔽層を設けても、その後入手した正当な使用者にとって、目視にて容易に判読できる不正の痕跡を残すことは困難であった。（例えば、特許文献２参照。）
以上のごとき、カムフラージュ行為を直接的に阻止する方法として、スクラッチ可能な隠蔽層の上、または、スクラッチ可能な隠蔽層とカード基材とに跨るように、ホログラム画像を形成したホログラム層を設け、不正を行おうとする者にホログラム画像の存在を認識させて、「ホログラム層」を形成することの困難さを持って不正行為を阻止しようとする技術も開発されている。（例えば、特許文献３または４参照。）
しかし、これらの技術は、ホログラム層の存在や、そのホログラムデザインが第三者にあらかじめ開示されていることから、そのホログラム再生像に類似した光学効果を有するものを十分な時間を掛けて偽造したり、もともと、この構成自体がホログラム層とスクラッチ可能な隠蔽層を同時に削る仕様となっていることから、「ホログラム層もろともスクラッチ可能な隠蔽層を全て削ってしまった」と偽ることにより、ホログラム層が全く存在しない変造品を持参しながら、あたかも正規品であったかの如く振る舞う等の不正を防ぐことができないという欠点を有していた。
【先行技術文献】
【特許文献】
【００３０】
【特許文献１】特開平１０−２１４３２０号公報
【特許文献２】特開２００１−４７７７７号公報
【特許文献３】特開平１１−３４５６５号公報
【特許文献４】特開２００５−３０５８４４号公報
【発明の概要】
【発明が解決しようとする課題】
【００３１】
本発明は、ホログラムレリーフをスクラッチ隠蔽層そのものに設け、且つ、そのスクラッチ隠蔽層をカード基材に埋め込むことで、その「ホログラムレリーフ形成ステップ」において高いホログラム形成技術を要するものとし、且つ、スクラッチ隠蔽層がカード基材に埋め込まれてカード基材に融着され「一体」となることで、スクラッチ隠蔽層を剥離することを事実上困難な状態として、その変造や偽造を阻止することを可能とした、偽造防止性に優れるスクラッチカードを提供する。
【００３２】
さらに、ホログラムレリーフ上に、反射性薄膜層を設けて、そのホログラムレリーフから再生されるレリーフホログラム再生像をより鮮明なものとし、または、スクラッチ隠蔽層に平均粒径の異なる顔料を配して、不正な目的でカードを湾曲させたりしたときに、その痕跡を残せる構造とし、その偽造防止性を著しく高めることを可能としたスクラッチカードを提供する。
【課題を解決するための手段】
【００３３】
上記の目的を達成するために、
本発明のスクラッチカードの第１の態様は、
カード基材上に設けられた秘密情報が、スクラッチ隠蔽層で覆われていることを特徴とするスクラッチカードであって、前記スクラッチ隠蔽層の最表面にホログラムレリーフが形成されており、且つ、前記スクラッチ隠蔽層が前記カード基材に埋め込まれて、前記スクラッチ隠蔽層の前記最表面が、前記カード基材の表面と面一、または、前記カード基材の表面から凹んだ位置にあり、前記スクラッチ隠蔽層をスクラッチにより除去することにより、前記秘密情報が視認可能となることを特徴とするものである。
【００３４】
上記第１の態様のスクラッチカードによれば、
カード基材上に設けられた秘密情報が、スクラッチ隠蔽層で覆われていることを特徴とするスクラッチカードであって、前記スクラッチ隠蔽層の最表面にホログラムレリーフが形成されており、且つ、前記スクラッチ隠蔽層が前記カード基材に埋め込まれて、前記スクラッチ隠蔽層の前記最表面が、前記カード基材の表面と面一、または、前記カード基材の表面から凹んだ位置にあり、前記スクラッチ隠蔽層をスクラッチにより除去することにより、前記秘密情報が視認可能となることを特徴とするスクラッチカードを提供することができ、スクラッチ隠蔽層がカード基材に埋め込まれていることから、その剥がし行為や、貼り替え行為を阻止でき、かつ、その埋め込まれたスクラッチ隠蔽層そのものからホログラムデザインを観察できるという、高い意匠性、並びに、高度な偽造防止性を併せ持つスクラッチカードを提供することができる。
【００３５】
本発明のスクラッチカードの第２の態様は、
前記ホログラムレリーフの凹凸面の上に、反射性薄膜層が前記ホログラムレリーフの凹凸面に追従するように接して設けられていることを特徴とするものである。
【００３６】
上記第２の態様のスクラッチカードによれば、
前記ホログラムレリーフの凹凸面の上に、反射性薄膜層が前記ホログラムレリーフの凹凸面に追従するように接して設けられていることを特徴とする第１の態様のスクラッチカードを提供することができ、そのホログラムレリーフから再生される、より鮮明なレリーフホログラム再生像を観察することが可能なスクラッチカードを提供することができる。
【００３７】
本発明のスクラッチカードの第３の態様は、
前記カード基材と前記スクラッチ隠蔽層の間に、前記秘密情報を覆うように接着層が設けられていることを特徴とするものである。
【００３８】
上記第３の態様のスクラッチカードによれば、
前記カード基材と前記スクラッチ隠蔽層の間に、前記秘密情報を覆うように接着層が設けられていることを特徴とする第１の態様または第２の態様のスクラッチカードを提供することができ、より安定したスクラッチを可能とし、その信頼性を高めたスクラッチカードを提供することができる。
【００３９】
本発明のスクラッチカードの第４の態様は、
前記スクラッチ隠蔽層の前記カード基材側とは反対の面に、地紋印刷が施されていることを特徴とするものである。
【００４０】
上記第４の態様のスクラッチカードによれば、
前記スクラッチ隠蔽層の前記カード基材側とは反対の面に、地紋印刷が施されていることを特徴とする第１から第３の態様のスクラッチカードを提供することができ、スクラッチ隠蔽層の変造を防止し、より偽造防止性を高めたスクラッチカードを提供することができる。
【００４１】
本発明のスクラッチカードの第５の態様は、
前記スクラッチ隠蔽層が、平均粒子径１．０μｍ〜１０μｍの顔料及び、平均粒径０．０１μｍ〜０．１μｍの微粒子顔料を含んでいることを特徴とするものである。
【００４２】
上記第５の態様のスクラッチカードによれば、
前記スクラッチ隠蔽層が、平均粒子径１．０μｍ〜１０μｍの顔料及び、平均粒径０．０１μｍ〜０．１μｍの微粒子顔料を含んでいることを特徴とする第１から第４の態様のスクラッチカードを提供することができ、スクラッチカードを不正な目的で湾曲させると、スクラッチ隠蔽層にその剥離痕が残り、その偽造防止性を著しく高めたスクラッチカードを提供する。
【００４３】
本発明のスクラッチカードに用いられるカード基材としては、
ホログラムレリーフ及び秘密情報表示部を設けることができ、且つ、スクラッチ隠蔽層をそのカード基材内に埋め込むことができるものであれば、あらゆる材料、すなわち、プラスチック材料、金属材料、セラミック材料、生体材料、それらの複合材料、さらには、それらを多層構造としたものなどを用いることができる。
【００４４】
ここで、「スクラッチ隠蔽層をそのカード基材内に埋め込む」とは、最終的に、「スクラッチ隠蔽層の最表面が、カード基材表面と面一、または、カード基材の表面より凹んだ位置になっている」ことをいう。
【００４５】
一例としては、「１０μｍ厚さのスクラッチ隠蔽層の単層」であって、総厚さ１０μｍ、幅１０ｍｍ、長さ３０ｍｍのストリップ（「小片」という意味。幅１０ｍｍ×長さ３０ｍｍ×高さ１０μｍの非常に薄い直方体状。）を、クレジットカードサイズで、厚さ７６０μｍの軟質塩化ビニルシートからなるカード基材の表面の中央部に置き、このカード基材を、常温→１５０度→常温の加熱サイクル（１サイクル３０分〜９０分。）により、且つ、表面鏡面仕上げステンレス板に挟んだ平板加圧状態で、１．０ＭＰａ（メガパスカル。Ｎ／平方ミリメートル）の圧力を掛けつづけて、そのストリップの全厚さを、その７６０μｍの軟質塩化ビニルシート内に埋め込むことをいう。
【００４６】
このとき、カード基材表面を、触針式表面粗さ計を用いて、埋め込んだ部分の境界領域を測定し、その境界における段差が、１．０μｍ以下である状態が「面一」となっている状態である。
【００４７】
また、上記のストリップに、さらに、１０μｍ厚さのポリエチレンテレフタレートを積層した２層積層体とし、上記と同様にして、カード基材内に産みこんだ後、そのポリエチレンテレフタレートを剥離することで、スクラッチ隠蔽層の最表面が、カード基材表面より、１０μｍの深さだけ、「凹んだ」状態とすることができる。すなわち、上記した触針式表面粗さ計を用いて、凹んだ部分の段差を測定し、その段差が、１０μｍである状態が、「カード基材表面から１０μｍ凹んだ」状態である。
【００４８】
この「凹み」は、クレジットカード形状のカード基材においては、１．０μｍ〜３０μｍとすることが望ましい。この凹みが１．０μｍ未満であると、凹ませた効果が無くなり、３０μｍを超えると、この段差の引っ掛かりがスクラッチカードのハンドリングに支障をきたす。
【００４９】
この凹みは、カード基材厚さに対して、１／１０以下とし、望ましくは、１／２０以下とする。また、凹みのサイズよりもストリップのサイズが小さい場合には、凹みとストリップの間に「隙間」が生じるが、この「隙間の幅」は、その偽造防止性を考慮して、爪先や金属へらを挿入し難い大きさ、すなわち、５．０ｍｍ幅以下、望ましくは、１．０ｍｍ以下とする。
【００５０】
さらに、「スクラッチ隠蔽層をそのカード基材内に埋め込む」ために、予め、カード基材表面に、深さ１０μｍ、幅１１ｍｍ、長さ３１ｍｍの凹みを設けておき（プラスチック等であれは、その成形加工時に「凹み」を設けても良いし、カード基材表面を切削加工などにより削り込んで、凹みを設けてもよい。）、その凹みに、上記したストリップを入れて固定することも、その製造安定性から好適である。この場合には、上記したような、高温加熱や、高圧プレスの必要がないため、スクラッチ隠蔽層に対する変形や歪みが発生し難いという利点がある。
【００５１】
但し、偽造や変造を防止する観点からは、加熱及び加圧によりカード基材に埋め込む方式が望ましい。
【００５２】
ここで、スクラッチ隠蔽層のカード基材とは反対側の表面（すなわち、「最表面」である。）には、所定のホログラムレリーフが形成されているが、このホログラムレリーフの凹凸深さは０．０１μｍ程度であるため、上記した「面一」、または、「凹み（の深さ）」を定義する際には、この微細な凹凸を無視するか、もしくは、ホログラムレリーフの最も高い部分の位置をその基準（値）とする。
【００５３】
また、カード基材の形状も、あらゆる形状、すなわち、シート状、フィルム状、板状、立方体状、直方体状、カード状、はがき状、伝票状、封筒状、円盤状、楕円体状、球体状、棒状、及びこれらの組み合わせや、これらに変形、切断、穴あけ、接着等の加工処理を施したものなどを採用することができる。
【００５４】
その厚さも、秘密情報表示部を支持することができ、且つ、ハンドリング可能であればよく、特に制限はないが、通常、３．０μｍ〜３．０ｍｍの厚さとする。もちろん、封筒状や、箱状のものであれば、その立体形状の寸法は、それぞれの用途に適したものとするため、この範囲内とする必要はない。
【００５５】
但し、これらのカード基材上に設けた秘密情報をスクラッチ隠蔽層で秘匿することとなるが、そのスクラッチ隠蔽層を設けた側とは、反対側から、カード基材に対して、強度の大きい可視光線や、赤外線、紫外線、Ｘ線等、さらには、電子線等の粒子線（以上を総称して「光線」と称する。）を照射して、その「透過『光線』」や「反射『光線』」、さらには、特性Ｘ線等から、その秘密情報を読み取ろうという試みに対抗するため、そのカード基材の性質として、これらの「光線」を「遮蔽」したり、「反射」、もしくは、「散乱」させる性質を保有することが望ましい。
【００５６】
これらカード基材の代表例としては、いわゆる「プリペイドカード」として用いられているカード基材及び形状や、「プラスチックカード」として用いられているカード基材及び形状、特に、ＪＩＳ規格やＩＳＯ規格で定められているものがある。すなわち、その「埋め込み適正」及び「汎用性」（加工汎用性を含む。）から、「ＪＩＳ規格やＩＳＯ規格で定められている『プラスチックカード』として用いられているカード基材及び形状」が望ましい。
【００５７】
これらは、既に、全世界に大量に頒布され、普及しているため、そのハンドリングや、保持することに抵抗感がなく、また、それらを携帯したり、使用したりする場合の周辺機器や、関連グッズ等も既に普及しているため、これらのものへの適用もスムースであって好適である。
【００５８】
本発明のスクラッチカードが秘匿する「秘密情報」としては、暗証番号、個人認証番号、口座番号、その他の個人特有の番号または記号や、抽選番号または記号、管理番号または記号等、もしくは、単なる連続番号や記号であって、登録することによりその有効性を発現するもの、暗号鍵番号である共通鍵番号のように同一の番号、さらには、全くの乱数であってスクラッチカードのカード基材を作製するときに発生させ作製者含め誰もその番号の内容を知らないよう工夫した番号等、知ることが許された者（正規な購入者等を意味する。もちろん、スクラッチカードのシステム設計者や、スクラッチカード発行者等が含まれる場合もある。）のみが見ることができ、その他の者は物理的に見ることができないよう設定される番号または記号等がある。
【００５９】
また、そのスクラッチカードの用途により、番号または記号のみならず、文字、図形、マークその他、個人及びそのスクラッチカードの供給者が共通に認識できるもの（この対象は、いわゆる「情報」全てとなる。）であれば何れも用いることができる。そして、その認識方法も、少なくとも目視確認により認識できる情報を有しながら、目視以外の認識方法、例えば、光学読取方法、磁気的読取方法、その他、あらゆる物理的もしくは化学的読取方法を採用することができ、且つ、視認できるレリーフホログラム再生像の中にも、ホログラム再生原理を利用した光学読取方法を含めることもその偽造防止性を高めるために好適である。
【００６０】
この「秘密情報」をスクラッチカードのカード基材上に設ける方法としては、可変情報を形成する方式として、感熱溶融転写方式、昇華転写方式、光学的もしくは物理的直接描画方式、電子写真方式及び、インクジェット方式等があり、固定情報を形成する方式としては、グラビア印刷方式、オフセット印刷方式、活版印刷方式、凹版印刷方式、スクリーン印刷方式等がある。
【００６１】
また、カード基材そのものを発色材料や消色材料で構成し、その発色原理や消色原理を用いて、可変情報や固定情報を記録する方法を用いてもよい。
【００６２】
すなわち、電子供与性ロイコ染料と電子受容性顕色剤とを含有する感熱発色材料からなるカード基材や、基紙となる紙材料やフィルム材料上に、電子供与性ロイコ染料と電子受容性顕色剤とを含有する感熱発色層を設けたもの、さらには、それらの基紙上に、カプセル内包の発色剤と顕色剤とからなる感圧発色層を設けたものを、カード基材として用いることができる。
【００６３】
また、発色と消色を繰り返して操作できる、感温材料等を用いたサーマルリライタブル層や、フルギド系やスピロピラン系などのフォトクロミック材料等を用いる光リライタブル層を設けることも、その意外性や偽造防止性が高まり、好ましい。
【００６４】
特に、これらの「リライタブル層」を設けて、「秘密情報」を表示させると、正規購入者が、その「秘密情報」を確認するときのみ「秘密情報」が現れ、それ以外のときには「非表示」とすることで、不要な第三者による「秘密情報」の視認を阻止することができる。
【００６５】
感熱発色材料としては、発色剤、顕色剤、及び、増感剤からなる系を用いることができ、発色剤としては、ベンゾイルロイコメチレンブルー、クリスタルバイオレットラクトン等のフタリド化合物等、顕色剤としては、４−４´ビフェノール、１−ナフトール等の酸など、さらに、増感剤としては、４−ベンジルビフェニル、フルオレン等を用いる。
【００６６】
感熱記録とは，基紙上の層に分散させた発色剤及び顕色剤を熱により溶融させ、接触させることにより発色させる仕組みである。その高感度化のために、低融点の増感剤を添加するが、様々な酸発生方法とこの発色機構を組み合わせることにより、繰り返しの書き込みや消去が可能なリライタブル感熱記録を実現できるものである。例えば、低い熱エネルギーにて発色する赤色感熱記録層と，高い熱エネルギーにて発色する黒色感熱記録層を積層させることにより，その印加エネルギーを使い分けることで赤／黒２色での記録を可能にする２色発色感熱記録材料を用いてもよい。
【００６７】
これらのロイコ系感熱発色材料や、フォトクロミック系光発色材料は、その発色機構である「紫外領域または赤外領域→可視領域への変化」を、「可視領域→紫外領域または赤外領域への変化」とすべく材料選定をすることにより、消色記録材料として用いることができる。
【００６８】
このような消色機構を用いると、正規購入者が、その「秘密情報」を確認した後、正規購入者の判断により、速やかに、もしくは、適宜なタイミングで、「秘密情報」を消色（消去）することを可能とし、その偽造防止性を高めることを可能とする。
【００６９】
また、カード基材上へ「秘密情報」を設ける位置、もしくは、配置についても、特に制限は無いが、プリペイドカード等のように、薄く強靭な素材を用いた場合には、そのカード基材を容易に湾曲させることができるため、そのカード基材の中央部分に設けることを避け、その右端、もしくは、左端、さらには、上端、もしくは、下端に設けることが望ましい。（湾曲した際に、スクラッチ隠蔽層にその変形圧力が掛からないように配慮するという意味。）もしくは、湾曲した際の比較的曲がっていない部分に、２箇所またはそれ以上の箇所に分散して設けてもよい。
【００７０】
また、磁気カード仕様や、ＩＣカード仕様上のいわゆる「禁止エリア」（磁気部エリアやＩＣ部エリアのように、印刷やエンボス加工等を禁止しているエリアのこと。所定の機能以外のものを設けることを禁止しているエリアを意味する。）を避けて設けたり、さらには、カードに加える様々な加工処理、例えば、エンボッシング処理、磁気記録処理、接触タイプのＩＣチップ加工処理、非接触タイプのＩＣチップやアンテナ類の加工処理、サインパネル加工処理やホログラム加工処理において、不具合が発生しない位置に設ける。
【００７１】
また、「秘密情報」を一つの位置に設けるのみ（一つの情報として読み取ることができるものが一か所に固まっているという意味。）ならず、カード基材上に、分散して複数の位置に設けたり、カード基材の表裏に設けることも、その秘匿性が向上し好適である。もちろん、その場合には、それぞれの位置に、それぞれのスクラッチ隠蔽層を設けることは言うまでもない。
【００７２】
上記した方法、または、方式により、その「秘密情報」をスクラッチカードのカード基材上に形成し（但し、カード基材の表面そのものに「秘密情報」が記録されている場合には、その記録面と基材表面が同一面となる場合がある。）、もしくは、カード基材に設けられている接着層上に形成し、そして、その「秘密情報」を覆うように、スクラッチ隠蔽層が設けて埋め込んだ後、そのスクラッチ隠蔽層をスクラッチにより除去すると、その「秘密情報」が視認可能となるスクラッチカードを作成することにより、その「秘密情報」を第三者が目視によって判読したり、不正者が盗読することを防ぎ、且つ、正当な使用者がそのスクラッチ隠蔽層をスクラッチして、その「秘密情報」を判読できるスクラッチカードとすることができる。
【００７３】
以下、ホログラムにつき説明する。
【００７４】
ホログラムとは、一方で、ホログラム再生像として再生したい「３次元物体」に対して、時間的、且つ、空間的コヒーレント性を有する光であるレーザー光を照射（照明）し、その「３次元物体」の表面で、反射し、散乱（回折）した「光」（これが「物体光」と呼ばれる。）を、所定の角度で、感光材料へ入射させ、他方で、そのレーザー光そのもの（これが、「参照光」と呼ばれる。）を、その「物体光」の入射角度とは異なる角度で、同時に、その感光材料へ入射させて、その「物体光」と、「参照光」とを干渉させ、その干渉によって生じた「干渉縞」を、その感光材料に記録したものである。
【００７５】
このホログラム形成方法は、撮影方式によるホログラム形成方法の一つであって、「二光線束干渉法」とも呼ばれる。
【００７６】
その「物体光」と、「参照光」は、互いにコヒーレントであるので、感光材料内に鮮明な干渉縞が発生し、その干渉縞が記録される。
【００７７】
まず簡単な場合として、参照光及び物体光の二つが、ある角度をなす、いずれも平行光である場合を考えると、二つの光の感光材料面までの道筋（光路）の長さの違い、したがって二つの光の位相の違いによって、感光材料面上のある位置では互いに強め合い、また別の位置では弱め合い、結果として感光材料には、参照光、物体光のなす角度によって決まる等間隔で感光材料面に垂直方向に伸びる干渉縞が記録される。
【００７８】
また、この干渉縞のコントラストは、参照光及び物体光の振幅が等しいときもっとも大きく、相違があるほど小さくなる。物体光は、「３次元物体」の立体形状に依存して変化する光であって平行光ではないので、干渉縞は乱れたものになる。
【００７９】
しかし、その乱れは、参照光に対する物体光の位相の変化が干渉縞の横ずれとして、また、振幅の変化がコントラストの変化として生じ、感光材料には、物体光の位相、振幅の情報がすべて記録される。このようにして露光された感光材料を現像処理したものがホログラムとなる。
【００８０】
このホログラムには、普通のカメラで写した写真のようには、物体の像が写っておらず、ただ一様に白濁（屈折率分布として記録されている。）しているように見えるが、光の波長に近い細かさで物体情報が完全に記録されている。
【００８１】
この感光材料として、フォトレジストを用い、フォトレジストの現像時間管理によって、フォトレジストの表面に、所望の深さの凹凸を設けたものが、レリーフホログラムであって、その凹凸が、上記と同様に、その深さや、周期において乱れたものとなっており、その乱れが、物体光の位相や、振幅の情報を含むことになる。
【００８２】
そして、その凹凸面が、ホログラムレリーフ面であって、このときの「凹凸面を有する感光材料層」が、「ホログラムレリーフを設けたカード基材そのもの、もしくは、ホログラムレリーフを設けた接着層を含むカード基材」に該当することとなる。
【００８３】
干渉縞を記録したホログラムを、例えば、上記した参照光と同一のレーザー光で照明すると、感光材料内に記録された干渉縞が、光の進行方向を変える回折格子として作用する。
【００８４】
回折格子に光が入射すると、そのまま透過する直接透過光（ゼロ次回折光）のほかに、格子の間隔、いまの場合は、干渉縞の間隔によって決まる方向にプラス１次、及び、マイナス１次の回折光を生じる。
【００８５】
ホログラム作成時、物体光及び参照光として所定の角度をなす平行光を用いた場合には、このホログラムを照明した際のプラス及び、マイナス１次の回折光は、いずれも平行光であり、前者は元の物体光が感光材料を透過する方向に進む。
【００８６】
実際の干渉縞は物体光の位相や振幅で乱されているので、ちょうどそれに対応するようにプラス１次の回折光は乱され、元の物体光をそのまま再生することになる。ホログラムを通して観察すると、ゼロ次、または、マイナス１次の回折光にじゃまされず、元の位置に物体像が立体的に再生する。この像は直接像とよばれ、あたかも物体から光が出たように、発散する光で見えるので虚像になる。また、マイナス１次の回折光によって、ホログラムの右側に、元の物体と前後が逆になった像が再生する。これは共役像とよばれ、実際に光が集束するので実像になる。
【００８７】
直接像を、見る位置を変えて観察すると、３次元物体の前後の相対位置が変化し、立体的に再生していることを確認できる。
【００８８】
この状況は、レリーフホログラムにおいても同様であって、上記したスクラッチ隠蔽層の最表面に設けられるホログラムレリーフの表面（以下、「ホログラムレリーフ面」ともいう。）を、所定の「参照光」で照明すると、所定の角度に直接像（ホログラム再生像）が現れる。
【００８９】
そして、このホログラムレリーフ面に、反射性薄膜層が追従するように接して設けられた場合には、反射性薄膜層の最表面（レリーフ状の凹凸面となっている。）、もしくは、スクラッチ隠蔽層と反射性薄膜層との界面が、「ホログラムレリーフ面そのもの」となっており、これらの面が、「反射面」と位置付けられ、そのホログラムレリーフ面で「反射した光」が、所定の角度によって決まる反射方向へ、その直接像を出現させる。その共役像である実像も同様である。
【００９０】
「ホログラムレリーフ面」の形状は、その深さが、０．０１μｍ程度であり、ピッチ（凹凸の周期を意味する。）が、１．０μｍ前後の凹凸が所定の領域内に隙間なく敷き詰められた形状をしており、この凹凸形状の一つ一つがいわば、１．０μｍ毎に「個々の反射回折光」を発生し、その「個々の反射回折光」が互いに光の干渉現象を生じて、最終的に一つの合体したレリーフホログラム再生像として、視認される。
【００９１】
従って、例えば、この１．０μｍの凹凸形状の一つを滑らかな小さな３次元曲面と捉えたとき（ホログラムレリーフの凹凸の断面形状は、しばしば、三角関数曲線のような単調増加や単調減少を繰り返す曲線に例えられる。）、その３次元曲面に、０．００１μｍオーダーの微細な凹みや突起が連続的に生じたり、その曲面そのものが、広い範囲に亘って、０．００１μｍオーダーで変形した曲面となったりするような「比較的広い範囲に亘る、凹凸形状のわずかな変形」（凹部の深さが０．００１μｍ深くなったり、浅くなったり、もしくは、その直径が０．１μｍ程度広がったりすることが比較的広い範囲に亘って連続的に生じていることを意味する。このような変化は、極く微細なものと思われがちであるが、それでも「１０％の変化」という大きなものとなっている。）、すなわち、「ホログラムレリーフ面形状のわずかな変形」が発生することで、レリーフホログラム再生像の鮮明度に大きな影響を与え、その鮮明度が低下することとなる。
【００９２】
特に、このような変形がホログラム記録領域の中で偏在して発生すると、レリーフホログラム再生像そのものの変形までをも引き起こす。
【００９３】
本発明のスクラッチカードは、スクラッチカードのカード基材上に「秘密情報」が設けられ、その「秘密情報」を覆うように、スクラッチ隠蔽層が設けられており、さらに、そのスクラッチ隠蔽層の最表面にホログラムレリーフが設けられていると同時に、スクラッチ隠蔽層そのものが、カード基材に埋め込まれている構成となっている。
【００９４】
もしくは、そのカード基材及び「秘密情報」形成部と、スクラッチ隠蔽層との間に、接着層を含む、または、そのカード基材とスクラッチ隠蔽層との間に接着層を含み、「秘密情報」はその接着層とスクラッチ隠蔽層との間に形成されている構成、さらには、ホログラムレリーフに追従して接するように設けられた反射性薄膜層や、スクラッチ隠蔽層上に設けられる地紋印刷を含む構成となっており、その「スクラッチ隠蔽層」、「接着層とスクラッチ隠蔽層」や「ホログラムレリーフに追従して接するように設けられた反射性薄膜層や、スクラッチ隠蔽層上に設けられる地紋印刷を含むもの」などの単層や積層体を、カード基材に埋め込んだものである。
【００９５】
この接着層を構成するための透明樹脂層として、各種の熱可塑性樹脂、熱硬化性樹脂、もしくは電離放射線硬化性樹脂を用いることができる。（電離放射線とは、電子線及び紫外線を意味する。）
接着層は、カード基材や「秘密情報」形成部を溶解したり、変質させたりしない溶剤を用いて、オフセット印刷方式、グラビア印刷方式、スクリーン印刷方式、凹版印刷方式、インクジェット印刷方式等の印刷方式や、スピンコーティング方式、カーテンコート方式、フォトレジスト処理方式等の形成手段を用いて、乾燥後の厚さとして、０．１μｍ〜２０μｍ、さらには０．１μｍ〜５．０μｍの厚さで形成する。
【００９６】
カード基材表面が粗面であって、高い精度で「秘密情報」形成部を形成し難い場合には、「秘密情報」形成部をより高い精度で形成したり、より高い物理特性を持つものとするために、カード基材表面の改質という意味合いも兼ねて、カード基材表面の一部に、接着層を設け、この接着層に対して、「秘密情報」形成部を形成することも好適である。
【００９７】
この接着層の厚さが、１．０μｍ未満であると、接着力を確保できず、また上記したようなカード基材の改質が十分とならず、２０μｍを超える厚さでは、スクラッチカードのカード基材上のスクラッチ隠蔽部分（「秘密情報」を隠蔽するためのスクラッチ隠蔽層等の積層部分をいう。）の総厚さが大きくなりすぎ、カード基材への埋め込みに支障をきたす。
【００９８】
そして、この接着層の露出している面（接着層のスクラッチ隠蔽層と接する面を意味する。）に、予め準備した回折格子や干渉縞が凹凸の形で記録された原版（所定のホログラムレリーフ面を有する原版という意味。）を、複製方式のプレス型（スタンパともいう。）として押し当て、加熱ロールなどの適宜な手段により、両者を加熱して圧着することにより、原版の凹凸模様を接着層に複製することができる。この際、形成するレリーフホログラムパターンは単独のパターンでも、複数のパターンの集合体でもよい。
【００９９】
または、上記の原版の凹凸面と、カード基材との間に、電離放射線硬化性樹脂を充填し、電離放射線にて、その樹脂を硬化させた後、その原版を剥離することで、カード基材上の所定の位置に、より精密なホログラムレリーフ面を有する接着層を形成することができる。
【０１００】
もちろん、カード基材の表面に、直接、ホログラムレリーフを形成可能な場合には、カード基材面に、直接、その原版を押し当てて、カード基材面上にホログラムレリーフを複製する。
【０１０１】
このホログラムレリーフ面は、スクラッチ隠蔽層のスクラッチオフによって露出し、空気（屈折率ｎ＝１．０）と接する界面となって、この界面からの反射光により、カード基材のレリーフホログラム再生像、もしくは、接着層のレリーフホログラム再生像を出現させるものである。
【０１０２】
しかし、反射面の背後であっても、着色していたり、白色となって光を散乱する性質が強いものとなると、レリーフホログラム再生像の鮮明度に悪影響を及ぼすことがあるため、あくまで、レリーフホログラム再生像の鮮明度に配慮した範囲内において、比較的透明性を犠牲にすることが可能であって、比較的屈折率の高い透明な樹脂材料に、屈折率の高い顔料（顔料の屈折率が２．０以上、さらには、３．０以上のもの等。屈折率が３．０を超えると、光散乱性や光遮蔽性が発現する。）を３０〜７０％程度、混入させることで、透明性がやや低下するものの、「高い屈折率を有する層」とすることができる。
【０１０３】
そして、カード基材上に直接、もしくは、この接着層を介してその上に、スクラッチ隠蔽層を設ける。
【０１０４】
スクラッチ隠蔽層用のインキ組成物としては、カード基材、「秘密情報」形成部や接着層を部分的に溶解したり、膨潤させたり、変形や変質を生じさせないものを用いる。
【０１０５】
例えば、ゴム系天然樹脂、ジエン系樹脂、アクリル系樹脂や、ビニル系樹脂の中から選定したものを樹脂成分とし、隠蔽性とスクラッチ性を得るために、金属系微粉末やそれらの酸化微粉末等の顔料成分を固形分全体の２０〜８０％の割合で含有するものを用いる。また、スクラッチ隠蔽層の隠蔽性を向上させるために、硫酸バリウム、炭酸カルシウム等の隠蔽性の強い顔料成分を１〜１０％含有させてもよい。スクラッチ隠蔽層用インキ組成物を以上の組成物から構成することにより、印刷適性とスクラッチ性との双方を満足することができるようになる。
【０１０６】
スクラッチ隠蔽層は、このインキ組成物を、カード基材や、接着層を部分的に溶解したり、膨潤させたり、上記のような変形や変質を生じさせない溶剤で希釈したもの（以下では、これを含めて、「スクラッチ隠蔽層用のインキ組成物」という。）を、オフセット印刷方式、グラビア印刷方式、スクリーン印刷方式、凹版印刷方式、インクジェット印刷方式等の印刷方式を用いて、乾燥後の厚さとして、５μｍ〜５０μｍ、さらには１０μｍ〜３０μｍの厚さで、カード基材上、もしくは、接着層上に形成する。
【０１０７】
この厚さが５μｍ未満では、「秘密情報」が透けて見える可能性があり、５０μｍを超える厚さでは、やはり、スクラッチカードのカード基材上のスクラッチ隠蔽部分の総厚さが大きくなりすぎ、カード基材への埋め込みに支障をきたす。さらにその厚さが、１０μｍ以上あれば秘密情報の隠蔽性は十分であり、３０μｍ以下であれば形成作業性に優れ、スクラッチカードを１０００枚重ねた際の突出量は皆無であって、自搬送処理等適するものとなる。また、スクラッチ隠蔽層の厚さがこの範囲であれば、コインや、指もしくは爪で容易に粉砕可能である。
【０１０８】
そして、このスクラッチ隠蔽層の最表面に「ホログラムレリーフ」を設ける。もしくは、あらかじめ、その最表面に「ホログラムレリーフ」を設けたスクラッチ隠蔽層を（その裏面側をカード基材面、もしくは、接着層面に接して）カード基材に埋め込むことにより、この「スクラッチ隠蔽層の最表面」が「ホログラムレリーフ」面そのものとなって、露出することとなる。
【０１０９】
この「ホログラムレリーフ」形状を持つ露出面、すなわち、スクラッチ隠蔽層と空気との界面からの反射光がレリーフホログラム再生像を出現させるため、この界面を「光学的な鏡面」とする必要がある。
【０１１０】
このこのスクラッチ隠蔽層の最表面が、「光学的な鏡面」とならず、いわゆる「粗面」となっている場合には（通常のスクラッチ隠蔽層は、そのスクラッチ適正を確保するために、敢えて、数十μｍオーダーの凹凸を持つ「粗面」としている場合が多い。）、この「粗面状の界面」に、レリーフホログラム再生像を視認するための照明光が照射されたときに、その「光の位相」が乱れ、さらには、「散乱光」となってしまい、位相の揃った光の干渉により発生するホログラムの再生そのものを阻害して、レリーフホログラム再生像を確認することすらできないものとしてしまう。
【０１１１】
上記した「光学的な鏡面」とは、ある「層」の表面の平滑性が、実質的に、平均表面粗さＲａで、０．０１μｍ〜０．１μｍであることを意味する。また、ホログラムレリーフ面のような三次元曲面において、「光学的な鏡面である」とは、その曲面が、あるべき曲面から逸脱するような不規則な凹凸の無い「滑らかな面」であることを言い、敢えて定義すれば、「その三次元曲面において、微視的領域であってその領域内ではほぼ平面と近似できる極く小さな面領域における平均表面粗さＲａの値が、どの微視的領域においても０．０１μｍ〜０．１μｍであること」と定義できる。
【０１１２】
通常、スクラッチ隠蔽層を上記のような印刷方式を用いて形成すると、その表面は、１．０μｍ〜３０．０μｍ程度、場合によってはそれ以上の「粗さ」となり、その「粗さ」が、コインや、指もしくは爪で粉砕することを容易なものとし、スクラッチオフ適正という点では望ましいとされている。（スクラッチオフとは、コインや爪によるスクラッチによりスクラッチ隠蔽層を部分的に除去することを意味する。）
しかし、スクラッチ隠蔽層の最表面（スクラッチカードとしての最表面。）は、まさにそのスクラッチをする面ではあるものの、その最表面に形成されているホログラムレリーフから、鮮明なレリーフホログラム再生像を出現させる必要があるため、スクラッチ隠蔽層の最表面は、本発明の目的より、上記したような「光学的な鏡面」とすることが必須となる。
【０１１３】
このため、適宜な剥離性フィルム上に、スクラッチ隠蔽層を形成後、上記した「光学的な鏡面」以上の平滑な表面を有する、「表面平滑化処理を施した金属板」等を用いて、１００〜２００℃の加熱、及び、１０7〜１０9Ｐａでの加圧をする平板プレス処理、もしくは、「表面平滑化処理を施した金属ロール」等を用いてロール幅１ｃｍに対して１．０ｋｇ以上の線圧を掛けるロールプレス処理により、一旦、スクラッチ隠蔽層の最表面を「光学的な鏡面」とし、この面に、所望のホログラムレリーフ面を持つホログラム原版を押し付け、上記の「平滑化処理（「光学的な鏡面」とする処理）」よりも、高い加熱、及び／または、高い圧力を掛けて、すなわち、１００〜２５０℃の加熱、及び、１０7〜１０11Ｐａでの加圧をする平板プレス処理、もしくは、「表面平滑化処理を施した金属ロール」等を用いてロール幅１ｃｍに対して１〜１０4ｋｇ以上の線圧を掛けるロールプレス処理により、スクラッチ隠蔽層の最表面にホログラムレリーフを形成する。
【０１１４】
このとき、剥離性フィルムを付けたまま平板プレス処理を行うと、その剥離性フィルムの厚さだけ、スクラッチ隠蔽層の最表面が、カード基材の表面より凹んだ状態となる。
【０１１５】
もちろん、ホログラム原版そのものの凹凸面が既に光学的な鏡面を成していることを利用して、上記の「表面平滑化処理」を省略することも好適であり、さらに、このホログラム原版のホログラムレリーフ面上に、上記した印刷方式を用いて、上記の厚さでスクラッチ隠蔽層を形成し、その乾燥、そして固化させる過程で、スクラッチ隠蔽層の裏面側から、「表面平滑化処理」と同様の条件にて平板プレス、または、ロールプレス処理を施して、一方の面が「『光学的な鏡面』からなる『平面』」を有し、もう一方の面、すなわち、「最表面」が、「『光学的な鏡面』からなる『ホログラムレリーフ面』」を持つ、スクラッチ隠蔽層を形成することができる。
【０１１６】
このようにして形成した、〔一方の面が「『光学的な鏡面』からなる『平面』」を有し、もう一方の面、すなわち、「最表面」が、「『光学的な鏡面』からなる『ホログラムレリーフ面』」を持つ、スクラッチ隠蔽層〕を、その「平面」側を、カード基材及び「秘密情報」形成部に接するようにして、カード基材に埋め込むことで、本発明のスクラッチカードを構成することができる。
【０１１７】
もちろん、スクラッチ隠蔽層の最表面と裏面を、いずれも「『光学的な鏡面』からなる『平面』」として、一旦、カード基材に埋め込んだ後、その埋め込まれたスクラッチ隠蔽層の最表面（露出面）上に、上記したホログラム原版を押し当て、上記した加熱、及び、加圧条件にて、スクラッチ隠蔽層の最表面にホログラムレリーフを形成することも、その製造工程が簡略化され、好適である。
【０１１８】
この際、スクラッチ隠蔽層の最表面にのみ、「ホログラムレリーフ」を形成してもよく、または、スクラッチ隠蔽層の最表面及び、それと「面一」（もしくは、若干、高い位置）となっているカード基材の表面に亘って、同一ホログラム原版によるホログラムレリーフを形成することも、その偽造防止性を高めることができ、好適である。
【０１１９】
また、上記した剥離性フィルムに、あらかじめ、ホログラムレリーフの凹凸形状を設けておき、このホログラムレリーフ面上に、上記した印刷方式を用いて、上記の厚さでスクラッチ隠蔽層を形成し、スクラッチ隠蔽層の裏面側から、「表面平滑化処理」と同様の条件にて平板プレス、または、ロールプレス処理を施して、剥離性フィルムとスクラッチ隠蔽層の最表面との界面を、高い精度でホログラムレリーフ形状とし、この「剥離性フィルムとスクラッチ隠蔽層」の積層体を、カード基材に埋め込むことで、剥離性フィルム付きのスクラッチカードを構成することができる。この場合は、この剥離性フィルムが、スクラッチ隠蔽層最表面のホログラムレリーフの「保護層」の役割を果たすこととなり、好適である。
【０１２０】
この剥離性フィルムを「可視光を通さない不透明なフィルム（もちろん、その表面に商業的デザインが施されていてもよい。）」とし、スクラッチカードの正規購入者が、スクラッチをする直前まで貼りつけたままとすることで、不正を働こうとする者ならず、正規購入者にも、そのホログラムレリーフの存在を秘匿し、正規購入者がその剥離性フィルムを剥離して初めて鮮明なレリーフホログラム再生像を視認できるものとし、且つ、そのホログラムレリーフ面の汚れや、傷つきを防止することもでき、特に好適である。
【０１２１】
このようにすると、第三者には、ホログラムそのものの存在を秘匿できると共に、例え、ホログラムの存在を何らかの手段で知り得たとしても、「多種あるホログラムデザインの中で、どのホログラムデザインがどのスクラッチカードに適用されている」かという全体像をつかむためには、全てのタイプのスクラッチカードを購入する他は無く、「実質的には不可能」とすることができる。
【０１２２】
また、接着層とスクラッチ隠蔽層との界面は、通常、「平坦な面」であって、本発明のスクラッチカードのスクラッチ隠蔽部分にコインや爪を押し当てて、スクラッチ隠蔽層のみをスクラッチオフした際に、そのコインや爪が直接あたる面であって、このようなスクラッチオフの後においても、上記したような「光学的な鏡面」を可能な限り維持する必要がある。
【０１２３】
このため、カード基材、もしくは、接着層の表面の物理特性を、このようなスクラッチ隠蔽層形成段階や、スクラッチオフ段階において、その面を「光学的な鏡面として維持できるレベル」まで向上させる必要がある。
【０１２４】
例えば、接着層のインキ組成物に２液硬化性樹脂や、熱硬化樹脂を用いた場合には、その表面に熱板を接触させたり、赤外線を放射して加熱したりすることにより、その表面近傍の硬化度を促進し、完結させたり、接着層のインキ組成物に、電離放射線樹脂を用いた場合には、カード基材上に形成した後や、スクラッチ隠蔽層を設けた後に、電離放射線を追加照射して（ポストキュア。このことにより、スクラッチ隠蔽層と接着層の接着強度も向上する。）、接着層全体の架橋度を９８％以上とする。
【０１２５】
また、接着層中に、シリコン樹脂、シリコンオイル、またはフッ素樹脂等の離型性付与剤を１０〜３０％含めることで、接着層の表面の耐擦傷性を向上させ、且つ、爪やコイン等を滑りやすくすると共に、スクラッチ隠蔽層と接着層との界面のズレを発生し易くして、スクラッチオフ適正を向上させることができる。
【０１２６】
特に、接着層に対する光学的透明性の要求が緩和される場合においては、その背後にある「秘密情報」を視認可能な範囲において、光学的透明性の低下を招くことが明らかな「離形性付与剤」を、さらに多く、例えば、３０％〜６０％添加とすることも可能である。
【０１２７】
そして、上記の印刷方式のみならず、ロールコーティング方式や、レジスト処理方式を用いることもこの目的のためには好適である。
【０１２８】
または、スクラッチ隠蔽層を、カード基材、もしくは、接着層上に、所定の厚さで形成後、「乾燥、さらには、硬化する段階」において、スクラッチ隠蔽層に用いるスクラッチ隠蔽層用インキ組成物の中の顔料成分の移動や、樹脂成分の移動を十分に起こすために、その「乾燥条件や硬化条件」を通常の処理時間の２倍〜１０倍の処理時間とすることも、スクラッチ隠蔽層の固まった界面そのものを「光学的な鏡面」として仕上げ（この界面付近に粒径の小さい顔料が集まったり、顔料と顔料の隙間に樹脂成分が十分に充填されることを意味する。）、このスクラッチ隠蔽層をスクラッチオフする際に発生する「スクラッチ隠蔽層内の粒径の大きい顔料等によるカード基材、もしくは、接着層表面への傷つけや変形圧力を緩和することができ、好適である。
【０１２９】
このようにして、設けたスクラッチ隠蔽層最表面のホログラムレリーフの凹凸面の上に、反射性薄膜層が、そのホログラムレリーフの凹凸面に追従するように接して設けられる。
【０１３０】
この反射性薄膜層としては、真空薄膜法などにより形成される金属薄膜などの金属光沢反射層、または透明反射層のいずれでもよいが、金属光沢反射層を用いる場合には、その反射性薄膜層での反射率が非常に高いため、非常に鮮明なレリーフホログラム再生像を出現させることができるものの、金属光沢反射層を「全面形成」すると、デザイン面で単調となるため、金属光沢反射層の所定の領域を開口部とした「部分形成」とする必要がある。透明反射層を設けた場合は、「全面形成」であっても、その背後のスクラッチ隠蔽層を視認できるため好適である。もちろん、意匠的な効果を求めて、透明反射層をも「部分形成」とすることも好適である。
【０１３１】
これらの反射性薄膜層の形成には、真空薄膜法等の物理的薄膜形成方法や、メッキ等の化学的薄膜形成方法を用いることができ、その厚さとして、１０〜２０００ｎｍ程度、好ましくは２０〜１０００ｎｍの厚さになるように設けることができる。
【０１３２】
さらに、スクラッチ隠蔽層のカード基材側とは反対の面に、すなわち、「スクラッチ隠蔽層のカード基材、または、接着層と接している面」とは反対の面に、地紋印刷を施して、その「地紋」が存在することによる偽造防止性の向上のみならず、不正にスクラッチした際にその「地紋」も同時に削れてしまうことによって、偽造や変造を防止する効果を高めることができる。
【０１３３】
但し、スクラッチ隠蔽層上に地紋印刷を設けた場合には、「スクラッチ隠蔽層の最表面」を基準とするのではなく、この「地紋印刷の最表面」を基準として、カード基材の表面と面一、もしくは、カード基材の表面に対して凹ませることも、上記した理由から好適である。
【０１３４】
また、カード基材に埋め込まれたスクラッチ隠蔽層の表面及びカード基材表面に、一様に地紋印刷を施してもよく、さらには、その地紋印刷のデザインが、そのスクラッチ隠蔽層とカード基材表面の境界を跨るものであって、スクラッチ隠蔽層を剥がそうとすると、その境界を跨っている部分が破断されるように設定することも、その偽造防止性を高めることができ、好適である。
【０１３５】
この地紋印刷は、主要なデザイン模様の背景となる淡色系のパターンや彩文の印刷のことであり、単色の印刷用インキを使用してもよいが、より偽造防止性を高めるため、多色の印刷用インキを使用することも好ましい。この多色の地紋印刷には、オフセット印刷や、グラビア印刷も使われるが、オルロフ印刷やシムルタン印刷などの特殊な印刷方式もその高い偽造防止性から好適である。
【０１３６】
オルロフ印刷とは、凸版多色集合印刷のことであり、それぞれの色のインキに対応する部分版（パターンローラ）に転移したそれぞれの色のインキを中間のローラに集合し、その集合ローラから一つの凸版版面にそれらのインキを同時に着肉する。凸版版面から直接印刷する場合（オルロフ印刷）とゴム胴（ブランケット胴）にインキを転移してから印刷する方法（オフセット・ザンメル）とがある。版面は一つであるが、一つの画線の途中から色を何色かに変化させることが出来るものである。
【０１３７】
また、シムルタン印刷とは、複数の版面（平版や樹脂版、もしくは金属版などの凸版版面）を一つのゴム胴（ブラン胴）の周りに配置して、各版面からのインキをゴム胴に集合してから印刷する。印刷位置精度は版胴への版面の取り付け精度でほとんど決まり、カード基材の伸縮などの影響が少ないため、高い見当合わせが安定して可能となるものである。
【０１３８】
この地紋印刷のデザインとしては、装飾的効果をあげるための図形であって、規則正しく繰り返される「文様」や、紋章的な感じを含む図文である「紋様」、その他染織等に用いられる「型」として繰り返される意匠等を用いることができる。
【０１３９】
特に、スクラッチによって、容易にそのデザインが破壊されることを目的として、それらの画線の幅を非常に細く、３０〜１００μｍ程度とした「細線」、もしくは、「細紋」とすることも好適である。
【０１４０】
地紋印刷における「地紋」の形成厚さは、１．０〜１０．０μｍとする。
【０１４１】
但し、スクラッチ隠蔽層の表面が「粗い」面であるため、この凹凸に追従して印刷可能なインクジェット方式や、この凹凸に影響され難い感熱転写方式、もしくは、昇華転写方式を用いて地紋印刷を行ってもよい。さらに、このような転写方式を用いて、スクラッチ隠蔽層の凹凸の凸部のみに印刷を行い、不正なスクラッチにより非常に容易に地紋印刷が破壊されるようにすることも好適である。
【０１４２】
特に、昇華転写方式は、スクラッチ隠蔽層を構成する樹脂層にのみ浸透し、独特の風合いを醸し出すとともに、同一のものを偽造することが困難であるため好ましい。
【０１４３】
また、この地紋印刷を、スクラッチ隠蔽層と接着層との間にも設け、且つ、そのデザイン及び、形成位置をスクラッチ隠蔽層の上下で同一とすることで、スクラッチ隠蔽層を削った際に、その地紋デザインが、連続したデザインとして視認できるようにすることも、その意外性や偽造防止性を高めるため好適である。
【０１４４】
そして、本発明のスクラッチカードのスクラッチ隠蔽層を、平均粒子径１．０μｍ〜１０μｍの顔料及び、平均粒径０．０１μｍ〜０．１μｍの微粒子顔料の両方を含んでいるものとすると、スクラッチカードを不正な目的で曲げたり、湾曲させたりした際に、さらには、そのスクラッチ隠蔽層部分そのものを剥がそうとした際に、スクラッチ隠蔽層に対して、いわゆる「剥離痕」を残すことが可能となり、その偽造防止性を著しく高めることが可能となる。
【０１４５】
スクラッチ隠蔽層用のインキ組成物に含める顔料成分としては、上記したごとく、金属系微粉末やそれらの酸化微粉末等（もちろん、窒化物やその他の化合物微粉末でもよい。）の顔料成分を２０〜８０％含有するものを用いるが、この顔料成分として、平均粒子径１．０μｍ〜１０μｍの比較的粒子径の大きい顔料群（「群」とは、複数の顔料を混合することも含める意味。）と、平均粒径０．０１μｍ〜０．１μｍの微粒子顔料群を準備し、これらの混合系を用いることで、粒子径の大きい顔料群の隙間に微粒子顔料群が入り込む構造とし、スクラッチ隠蔽層が極度の変形を受けた際に、微粒子顔料群が粒子径の大きい顔料間の滑り剤の役目を果たして、粒子径の大きい顔料の層内移動を容易かつ不可逆なものとする（塑性変形を生じることを意味する。）。さらに、この「滑り」効果を助長するためにシリコーンオイルやタルク等の滑り性付与剤を１％〜５％添加することも好適である。
【０１４６】
スクラッチカードを不正な目的で、９０度から１８０度の「折れ曲がり変形」させると、スクラッチ隠蔽層自体も同様の変形を受け、スクラッチ隠蔽層の一方の面は、カード基材、もしくは、接着層と固着してズレ変形を生じ難い状態となっていることから、スクラッチ隠蔽層の他方の面にその変形圧力が集中し、上記の塑性変形を大きくして、そのスクラッチ隠蔽層の他方の面に不規則な凹凸や、不規則な裂け目を発生させ、この不規則な凹凸や、不規則な裂け目が、「剥離痕」として視認されることとなる。
【０１４７】
このような「剥離痕」をより確実に発生させるためには、粒子径の大きい顔料群と、微粒子顔料群の比率を、１０対１〜１０対３０、特には、１０対５〜１０対１０とすることが好ましい。
【０１４８】
粒子径の大きい顔料群１０に対して、微粒子顔料群の比率が１未満であると、スクラッチ隠蔽層に「剥離痕」が発生し難くなり、微粒子顔料群の比率が３０を超えても、やはり「剥離痕」が発生し難くなる。
【０１４９】
さらには、スクラッチ隠蔽層用インキ組成物に用いる樹脂として、凝集破壊し易い脆弱性の樹脂を用いることもこの「剥離痕」の発生を確実なものとするが、この場合には、スクラッチオフ（コインや爪によるスクラッチによりスクラッチ隠蔽層を部分的に除去することを意味する。）を容易とする効果も発現するため好適である。
【０１５０】
また、スクラッチ隠蔽層に対して、直接、ホログラムレリーフの複製を施す場合には、スクラッチ隠蔽層の表面が粗いことから、その表面に原版を押し当てて加熱、且つ、加圧してホログラムレリーフ面を形成しようとすると非常に高い加熱と大きな圧力が必要となり、また、その複製精度も不均一となる。
【０１５１】
このため、そのインキ組成物に、粒子径の大きい顔料群と、微粒子顔料群の比率を、１０対１〜１０対５として配合することで、スクラッチ隠蔽層の塑性変形をし易くすることはこの場合においても好ましいものとなる。そして、スクラッチ隠蔽層の最表面を上記したような平圧プレスやロールプレスを用いることにより「光学的な鏡面」とした後に、ホログラムレリーフを複製することで、スクラッチ隠蔽層に形成したホログラムレリーフ面の状態をいわば「鏡面」の状態としたままとすることがより好適である。（ホログラムレリーフ面は、３次元曲面であるため、「平面」に対して用いる「鏡面」という表現は適切ではないが、３次元曲面の状態が「鏡面」のように滑らかであることを例えて「いわば鏡面の状態」と表現した。）
さらに、スクラッチ隠蔽層を、一旦、上記した原版のホログラムレリーフ面上に形成して、原版のホログラムレリーフ面形状を高い精度でスクラッチ隠蔽層上に再現させ（低粘度のスクラッチ隠蔽層用インキ組成物の状態でホログラムレリーフ面上に設け、インキ内の顔料や樹脂材料の移動による、高い面形状再現性を発現させるという意味。）、その原版から上記した適宜な剥離性フィルムへスクラッチ隠蔽層を転移させる方法も、より鮮明なレリーフホログラム再生像を出現させるためには好適である。
【０１５２】
さらに、スクラッチカードのカード基材上に、接着層を設け、その接着層の上に、スクラッチ隠蔽層を設ける際に、そのスクラッチ隠蔽層を接着層をも覆うように設けて、接着層の存在をさらに秘匿する。
【０１５３】
そもそも、接着層上に、スクラッチ隠蔽層を設ける際には、その接着層の上に、同一サイズ（且つ、同一位置。）のスクラッチ隠蔽層を設けて、接着層の露出面を全て埋めることとなるが、このとき、接着層の断面部分が露出しており、（例え、その断面がカード基材内に埋まっていてもそのカード基材そのものが透明性を有していた場合には、そのカード基材を等してその断面を判別することができることを意味する。）、その断面を注意深く観察することで、すなわち、その光沢を観察したり、照明光を当ててその反射光を観察したりすることで、スクラッチ隠蔽層の下に、「なんらかの光学的に透明な層」が存在し、その「層」が「偽造防止目的の光学的な層」であり、もしかしたら、「地紋印刷」等であるかもしれないとの推測へと導かれる可能性を否定できない。
【０１５４】
もしくは、スクラッチ隠蔽層のサイズを、接着層のサイズより、小さく設けた場合には、その可能性をより大きなものとする。この場合には、接着層表面のみをスクラッチ隠蔽層で覆うように設けてあるか、または、「単なる意匠性目的のホログラムレリーフ」を、第三者が視認できるように設けることもできる。
【０１５５】
このような推量を一切させないために、スクラッチ隠蔽層の下は、スクラッチカードのカード基材のみであるかのごとく、接着層そのものを覆い隠すように、その接着層の面積より、少なくとも、一回り大きく、例えば、０．５ｍｍ〜数ｍｍ程度大きいサイズで、スクラッチ隠蔽層を設けてもよい。
【０１５６】
特に、「スクラッチ隠蔽層の下に接着層が存在する領域」と、「スクラッチ隠蔽層の下に接着層が存在しない領域」とにおいて、スクラッチ隠蔽層の形成高さに差がでることで（スクラッチ隠蔽層の表面に段差が現れるという意味。）、やはり、スクラッチ隠蔽層の下に何らかの層が存在するとの推測を招くため、敢えて、接着層とほぼ同一の大きさとし、スクラッチ隠蔽層のインキ組成物がその断面に回り込む程度、すなわち、スクラッチ隠蔽層の印刷用製版時、その製版サイズを、０．０５〜０．２ｍｍ程度を大きくした版を用いて印刷形成する。
【０１５７】
または、そのような段差を生じさせないため、スクラッチ隠蔽層の形成を２段階とし、最初のステップにおいて、接着層の部分をその領域内に含み、且つ、その部分を除く領域（カード基材上の位置を指す。）に、例えば、接着層のサイズの２倍から１０倍のサイズのスクラッチ隠蔽層（下層）を、接着層の厚さと実質的に同一の厚さ（高さ）で形成し、その上に、今度は、接着層の部分を含んで、全体サイズのスクラッチ隠蔽層（上層）を、下層の厚さの１／１０〜３０／１０倍の厚さで設ける。
【０１５８】
このように、接着層の形成サイズとスクラッチ隠蔽層の形成サイズを異ならせた場合には、接着層の形成位置と、「秘密情報」形成部の位置は、全面的に重なるものとしても、または、一部重なるものとしてもよい。
【０１５９】
このような位置関係の複雑化は、本発明のスクラッチカードを偽造しようとする者に対する牽制となり好適である。
【０１６０】
さらに、接着層の形成領域以外の領域において、スクラッチ隠蔽層を部分的にスクラッチし難い層として、例えば、「不正」や「開示」等の文字をカード基材上に固着させて、全面スクラッチオフしようとする行為に対する牽制とすることも好ましい。
【０１６１】
この場合には、上記した、スクラッチ隠蔽層の下層を設ける際に、予め、スクラッチカードのカード基材面に固着し、且つ、爪等によっては剥がすことができない強度（硬度）を有する樹脂層を用いて、上記の文字パターンの印刷を行っておき、このパターン部分と接着層部分を除いて、スクラッチ隠蔽層の下層を設け、それらを全て覆うように、スクラッチ隠蔽層の上層を設ける等の工夫が必要となる。
【０１６２】
このようにして得られた、本発明のスクラッチカードを、その外観から観察した場合には、スクラッチ隠蔽層の最表面のホログラムレリーフから再生される、鮮明なレリーフホログラム再生像を視認することができたが、スクラッチ隠蔽層に覆われた「秘密情報」を視認することはできず、スクラッチカードのスクラッチ隠蔽層をコインで一部削り取ることにより、その削りとった領域から、「秘密情報」を視認することができた。
【０１６３】
また、スクラッチ隠蔽層が、平均粒子径１．０μｍ〜１０μｍの顔料及び、平均粒径０．０１μｍ〜０．１μｍの微粒子顔料を含んでいる本発明のスクラッチカードのカード基材を湾曲させて、スクラッチ隠蔽層の断面を露出させ、その断面にに爪を当てて、スクラッチ隠蔽層を剥離しようとすると、そのカード基材を湾曲させただけで、スクラッチ隠蔽層の表面に「剥離痕」が発生し、不正を働こうとした痕跡を残さずスクラッチ隠蔽層を元の状態に戻すことはもとより、スクラッチカードに何らかの変造を加えようとすることは困難と思われた。
【０１６４】
さらには、スクラッチ隠蔽層が、接着層を覆うように設けられている本発明のスクラッチカードのスクラッチ隠蔽層を、その下にある「秘密情報」形成部の位置を知らずに一部スクラッチオフしたところ、その領域には「秘密情報」が現れず、結局、やみくもに全てのスクラッチ隠蔽層を剥がすこととなり、正規購入者によるスクラッチオフでないことが一目瞭然となった。このことは、スクラッチカードの正規購入者でない者が、「秘密情報」を覗き見する等の不正を働くことに対する牽制効果を有すると思われた。
【発明の効果】
【０１６５】
本発明によれば、ホログラムレリーフをスクラッチ隠蔽層そのものに設け、且つ、そのスクラッチ隠蔽層をカード基材に埋め込むことで、その「ホログラムレリーフ形成ステップ」において高いホログラム形成技術を要するものとし、且つ、スクラッチ隠蔽層をカード基材に埋め込んでカード基材に融着して「一体」とすることで、スクラッチ隠蔽層を剥離することを事実上困難な状態として、その変造や偽造を阻止することを可能とした、偽造防止性に優れるスクラッチカードを提供することができる。
【０１６６】
さらに、本発明によれば、ホログラムレリーフ上に、反射性薄膜層を設けて、そのホログラムレリーフから再生されるレリーフホログラム再生像をより鮮明なものとし、また、スクラッチ隠蔽層に平均粒径の異なる顔料を配して、不正な目的でカードを湾曲させたときに、その痕跡を残せる構造とし、その偽造防止性を著しく高めることを可能としたスクラッチカードを提供することができる。
【０１６７】
従って、本発明は、偽造や変造を著しく困難とした新規なスクラッチカードを提供することを可能とし、第三次産業においてそのカード保持者が正当な権利を有する者であるとの証明や、「スクラッチくじ」などの用途のみならず、高額商品や高額サービスを提供するシステムにおいて、いわゆる「鍵」の役割を担う用途に有用である。
【図面の簡単な説明】
【０１６８】
【図１】本発明の一実施例を示すスクラッチカードＨの断面図である。
【図２】本発明の他の実施例を示すスクラッチカードＨ´の断面図である。
【図３】本発明のさらに他の実施例を示すスクラッチカードＨ´´の断面図である。
【図４】本発明のスクラッチカード８のカード基材１の所定の位置に設けた（カード基材            １上の接着層６の上の所定の位置に設ける場合もあるが、これは図示せず。）            「秘密情報」２を覆うように、スクラッチ隠蔽層３、ホログラムレリーフ４、            及び、反射性薄膜層５を、所定の形（図中では「長方形」。）で形成し、カー            ド基材１に埋め込んだ図である。（図中、「３〜６」で示す。）ここで、（ａ            ）は、スクラッチカード８を上から見た図であり、（ｂ）は、そのＡ−Ａ断面            図である。（図中、「３〜６」の詳細構成は省略し、模式的に示している。）
【図５】スクラッチカード８のカード基材１の上に「秘密情報：１２３４５６７８」２            を印字した図（「秘密情報」を囲む枠は便宜上記載してあるのみ。）
【図６】カード基材１の上の所定の位置に設けた、「秘密情報」２を覆うように、スク            ラッチ隠蔽層３、ホログラムレリーフ４、及び、反射性薄膜層５を、所定の形            （図中では「長方形」。）で形成し、カード基材１に埋め込んである本発明の            スクラッチカード８のそのスクラッチ隠蔽層３のホログラムレリーフ４面上に            、もしくは、反射性薄膜層５上に（いずれにしても、それらの最上層上に）、            さらに、地紋印刷７を設けた図である。（図中、地紋印刷７のみを強調して図            示している。）
【発明を実施するための形態】
【０１６９】
以下、本発明の実施形態について、図面を参照しながら、詳細に説明する。
（カード基材、及び、「秘密情報」形成部）
本発明のスクラッチカードＨ〜Ｈ´´、及び、８に用いられるカード基材１としては、「秘密情報」２表示部を設けることができ、且つ、少なくともスクラッチ隠蔽層３をそのカード基材１内に埋め込むことができるものであれば、あらゆる材料、すなわち、プラスチック材料、金属材料、セラミック材料、生体材料、それらの複合材料、さらには、それらを多層構造としたり、さらに複雑に組み合わせたりしたものなどを用いることができる。且つ、その表面や裏面に、本発明のスクラッチカードＨ〜Ｈ´´、８の用途に応じた印刷等の手段による適宜な表示を設けたものであってもよい。（図１〜図６参照。図４〜図６では、カード基材１の表面に「☆スクラッチカード☆」などの印刷を施している。）
その形状も、あらゆる形状、すなわち、シート状、フィルム状、板状、立方体状、直方体状、カード形状（磁気カード、ＩＣカード、非接触ＩＣカード、ポストカード、グリーティングカード、名刺、ポイントカード、ライセンスカード、遊戯用カード等の形形状）、はがき形状、リーフ形状、帳票形状、伝票形状、Ｓメール形状、ラベル形状、シール形状、証券類形状、通帳形状、パスポート形状、郵便物形状、配送物形状、封筒状、袋状、箱状、ケース状、円盤状、ディスク状、楕円体状、球体状、曲面形状、棒状、及びこれらの組み合わせや、これらに変形、切断、穴あけ、接着等の加工処理を施したものなどを採用することができる。さらには、電子端末や、携帯用端末等、あらゆる工業製品やあらゆる商品をもカード基材１として採用することができる。
【０１７０】
その厚さも、「秘密情報」２表示部を支持することができ、且つ、ハンドリング可能であればよく、特に制限はないが、通常、３．０μｍ〜３．０ｍｍの厚さとする。もちろん、封筒状や、箱状のものであれば、その立体形状の寸法は、それぞれの用途に適したものとするため、この範囲内とする必要はない。
【０１７１】
但し、これらのカード基材１上に設けた「秘密情報」２をスクラッチ隠蔽層３で秘匿することとなるが、そのスクラッチ隠蔽層３を設けた側、もしくは、その反対側から、カード基材１に対して、１０００ルクスを超える強度の大きい可視光線照射や、０．５Ｗ／平方センチメートル以上の赤外線照射、０．１Ｗ／平方センチメートル以上の紫外線照射、１ギール／分以上のＸ線照射等、さらには、１００ｋＶ以上の電子線等の粒子線（以上を総称して「光線」と称する。）を照射して、その「透過『光線』」や「反射『光線』」、さらには、特性Ｘ線等から、その秘密情報を読み取ろうという試みに対抗するため、そのカード基材１の性質として、これらの「光線」を「遮蔽」したり、「反射」、もしくは、「散乱」させる性質を保有するものを採用することができる。
【０１７２】
すなわち、可視光線照射に対しては、可視光線を遮蔽したり散乱させたりする隠蔽性の高い顔料や、鱗片状の金属材料、さらには、金属板そのもの等をカード基材１中に混入させたり、カード基材１に用いる基紙にコーティングしたり、ラミネートしたり、複合化したりする（以上を総合して、「混在させる」と称する。）。（図示せず。）
赤外線照射に対しては、さらに赤外線吸収剤等を、紫外線照射に対しては、さらに紫外線吸収剤等を、Ｘ線照射に対しては、金属板の中でも鉛材料等を、電子線等の粒子線照射に対しては、それらの粒子線を吸収する素材を混在させることで、その効果を増すことができる。
【０１７３】
また、これらカード基材１の代表例として、いわゆる「プリペイドカード」として用いられている材料及び形状や、「プラスチックカード」として用いられている材料及び形状、特に、ＪＩＳ規格（「プリペイドカード  ＪＩＳ  Ｘ  ６３１０シリーズ」や、ＪＩＳ  Ｘ  ６３０１、ＪＩＳ  Ｘ  ６３００シリーズ、ＪＩＳ  Ｘ  ６３２０シリーズ、ＪＩＳ  Ｘ  ６３３０シリーズ等。）やＩＳＯ規格（ＩＳＯ／ＩＥＣ７８１０シリーズ、ＩＳＯ／ＩＥＣ７８１６シリーズ、ＩＳＯ／ＩＥＣ１４４４３シリーズ、ＩＳＯ／ＩＥＣ１５４５７シリーズ等。）で定められているものがある。（図示せず。）
その中でも、その「埋め込み適正」（スクラッチ隠蔽層３をそのカード基材１内に安定して埋め込むことができると共に、そのスクラッチ隠蔽層３の最表面とカード基材１の表面とを再現性良く「面一」とすることができる性質をいう。）及び「汎用性」（加工汎用性を含む。この「加工汎用性」とは、「保護層／磁気層／接着層」からなる磁気ストライプをカードカード基材に埋め込む製造ラインや製造条件が確立していることを意味する。）から、「ＪＩＳ規格やＩＳＯ規格で定められている『プラスチックカード』として用いられているカード基材及び形状」が望ましい。
【０１７４】
これらは、既に、全世界に大量に頒布され、普及しているため、そのハンドリングや、保持することに抵抗感がなく、また、それらを携帯したり、使用したりする場合の周辺機器（入退室用ゲート端末、駅務ゲート端末、クレジットカード端末その他のカード利用機器を意味する。）や、関連グッズ（カードを携帯するためのカード入れや、カード用装飾品等を意味する。）等も既に普及しているため、これらのものへの適用もスムースであって好適である。
【０１７５】
特に、不透明性を有するフィルム状もしくはシート状のプラスチックがその加工適正やコスト面で好ましく、厚みを薄くすることが可能であって、機械的強度や耐溶剤性および耐熱性をも有するものが用いられる。例えば、その材料として、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール、ポリ塩化ビニル、ポリ塩化ビニリデン等の各種のプラスチックフィルム材料があげられる。そして、これらのプラスチックそのものが透明性を有する場合には、不透明化処理のために、二酸化チタンや炭酸カルシウム等の不透明性付与のための顔料等を適宜練り込むなど、不透明性付与材料を混在させた、フィルム状もしくはシート状のプラスチックを例示することができる。
【０１７６】
さらに、これらの材料に、フッ素系樹脂パウダーや、シリコン系樹脂パウダー等を混入したプラスチックフィルムは、耐擦傷性が著しく高く好適である。
【０１７７】
そして、少なくともスクラッチ隠蔽層３をそのカード基材１内に、加熱温度６０℃〜２００℃、好適には、８０℃〜１５０℃、且つ、プレス圧力１０4Ｐａ〜１０10Ｐａ（Ｎ／平方メートル）、好適には、１０6Ｐａ〜１０8Ｐａの条件下で、「面一」に埋め込むことが可能なものが用いられる。
【０１７８】
これらのフィルム状もしくはシート状のプラスチック材料からなるカード基材１の厚さは、通常、３．０μｍ〜１．０ｍｍであるが、スクラッチカードＨ〜Ｈ´´としての加工適正や取り扱い適正から５０〜３００μｍとすることが望ましい。
【０１７９】
この厚さが、３．０μｍ未満であると、このカード基材１上にスクラッチ隠蔽層３を設けたり、もしくは、接着層６を設けたりする際の加工適正に劣るものとなり、この厚さが１．０ｍｍを超えると、シート処理や巻き取り処理における取扱いに困難を生じるため好ましくない。（図１〜図７参照。）
具体的には、５０μｍ〜１０００μｍの厚さの軟質塩化ビニルシートや硬質塩化ビニルシート、もしくは、その組み合わせ（積層体という意味。）が好適である。
【０１８０】
カード基材１として、１００μｍの軟質塩化ビニルシートを用いて、厚さ２０μｍのスクラッチ隠蔽層３（幅１０ｍｍの帯状。カード基材１の厚さの約１／５の厚さを有する。）を、１５０℃の加温、及び１０6Ｐａの加圧にて、３ｍｍ厚さの表面鏡面仕上げのステンレス板で挟み込み、「常温→加温→１５０℃→冷却→常温」の加熱＆冷却サイクル（１サイクル３０分〜９０分。）を通した場合には、積層体が全て、カード基材１内に埋め込まれ、スクラッチ隠蔽層３の最表面とカード基材１の表面が面一となった。
【０１８１】
同様の条件下においては、カード基材１の厚さ１００μｍに対して、５μｍ〜５０μｍまでの積層体を「面一」とすることができるが、５０μｍを超える厚さの積層体に対しては、その境界における段差が、１．０μｍを超えるものとなり、「面一」とするためには、より高温、且つ、高圧の条件とする必要が生じる。
【０１８２】
しかしながら、上記の条件をより過酷な条件に設定することは、カード基材１の大きな変形や、変質を招き、スクラッチカード８としての用途には不向きであり、カード基材１の厚さに対する埋め込み深さは、「カード基材１の厚さの１／２０〜１／２」とする。
【０１８３】
また、「面一」の状態とは、上記したように、その境界における段差が、１．０μｍ以下となった状態を意味するが、「埋め込む小片（上記したストライプ等を意味する。）」のサイズによって、「小片」全体が均一に埋め込まれる場合（「小片」を含むカード基材１の厚さが、「小片」のある個所や、その他の箇所で同一となっている状態。）や、「小片」の埋め込み量に偏りがある場合（「小片」の端部（境界に近い部分）に対して「小片」の中央部の埋め込み量が少なくなっている状態。）、さらには、カード基材１の材料が「小片」の断面を覆い隠すように流動した場合等を含むものとし、結果として「小片」が面一に埋め込まれた状態となることを指す。
【０１８４】
さらには、「面一」の状態から「凹んだ状態」とするためには、上記した厚さ２０μｍの層の代わりに「耐熱性を有する剥離性フィルム（１０μｍ）／スクラッチ隠蔽層３（１０μｍ）：この界面がホログラムレリーフ４となっている。」の２層積層体を、同一条件下でカード基材１に埋め込み、その剥離性フィルムを剥離することで、スクラッチ隠蔽層３の最表面が、カード基材１の表面より、１０μｍ凹んだ状態とすることができる
すなわち、この積層体における「剥離性フィルム」の厚さだけ、カード基材１の表面より凹ませることができることとなる。。
【０１８５】
この「凹み」は、カード基材１の厚さに対して、１／１０以下とし、望ましくは、１／２０以下とする。（ここでは、ホログラムレリーフ４の凹凸深さを無視して説明している。厳密に考慮する場合には、その凹凸の凹部底面を基準面としても、凹凸の凸部頂点を基準面としてもよい。）
また、このような「剥離性フィルム」は、スクラッチ隠蔽層３の保護層の代用となるため、製造工程中や、流通過程においては残しておき、スクラッチカード８の正規購入者がスクラッチをする直前に剥離するものとすることで、スクラッチ隠蔽層３の最表面の汚れや傷の発生を防止できる。さらに、「剥離性フィルム」は、一旦、剥離すると、もはや、元に戻すことが困難であるため、不正者が接着剤等を塗布して元の状態に戻そうとすると、「剥離性フィルム」の剥離性が損なわれるだけでなく、「段差」が１．０μｍを超えてしまい、不正が行われたことを示唆する機能を持つため、「剥離性フィルム」を付加したスクラッチカードとすることも好適である。（凹んだ状態や、「剥離性フィルム」を付加した状態は、図示せず。）
本発明のスクラッチカードＨ〜Ｈ´´、及び、８が秘匿する「秘密情報」２としては、文字、図形、記号、模様、マーク、形状、立体、もしくは、これらの結合、または、これらと色彩との結合その他、さらには、識別コード、識別番号、識別文字等のあらゆる識別情報、その他何らかの手段によって識別することが可能なものであれば、特に制限はなく、採用することができる。（図１〜図６参照。）
この識別手段としては、目視識別、携帯カメラ認識やバーコード認識等の光学的識別、機械識別、その他の物理的識別手段等をいう。
【０１８６】
識別可能であれば、全てが同一のものであっても、全てが個別のものであってもよく、また、個人や企業、さらには、特定の業界特有のものであってもよい。
【０１８７】
また、「意匠」のごとく、物品（物品の部分を含む。）の形状、模様若しくは色彩又はこれらの結合であって視覚を通じて美感を起こさせるもの、または、これと類似のものであってもよく、「商標」のごとく、文字、図形、記号若しくは立体的形状若しくはこれらの結合又はこれらと色彩との結合であって、業として商品を生産し、証明し若しくは譲渡する者がその商品について使用するもの、または業として役務を提供し若しくは証明する者がその役務について使用するもの、または、これと類似のものであってもよい。その他、「称号」や、「商号」、さらには、種々の場面において照合の対象となるものでもよい。
【０１８８】
そして、「文字」には、楷書体、隷書体等のあらゆる書体の文字が含まれ、「記号」には、特殊文字記号、顔文字記号、電気文字記号、地図記号等も含まれ、ＨＴＭＬ記号等の限られた業種の限られた場面においてのみ用いられる記号もその特殊性から好ましい。
【０１８９】
また、英文字、ギリシャ文字その他各国で使用されている文字や、シンボル、数学記号等も、不正者が瞬間的に覗き見した程度では暗記できないものとなり、好ましい。
【０１９０】
さらには、これらの情報の中に、目視等の単なる情報読取手段では判別できない隠し情報や、暗号情報を含ませて、スクラッチカードＨ〜Ｈ´´、及び、８の運用を管理する者のみが所定の情報処理手段によって、それらの隠し情報や、暗号情報を判読することができるものとすることも好適である。
【０１９１】
このような特殊性を有するものは、正規購入者によってもその登録や照合等の場面で、誤記や誤入力の原因となるため、携帯カメラ認識等の自動認識手段を併用することが好ましい。
【０１９２】
以下、これらのものを総称して、「番号等」という。
【０１９３】
さらに「秘密情報」２には、暗証番号等、個人認証番号等、口座番号等、その他の個人特有の番号等や、何らかの個別番号等、抽選番号等、管理番号等、もしくは、単なる連続番号等であって、登録することによりその有効性を発現するもの、暗号鍵番号である共通鍵番号のように同一の番号等、さらには、全くの乱数であってスクラッチカードＨ〜Ｈ´´、及び、８のカード基材１を作製するときに発生させ作製者含め誰もその番号等の内容を知らないよう工夫した番号等、知ることが許された者（正規な購入者等を意味する。もちろん、スクラッチカードＨ〜Ｈ´´、及び、８のシステム設計者や、スクラッチカードＨ〜Ｈ´´、及び、８の発行者等が含まれる場合もある。）のみが見ることができ、その他の者は物理的に見ることができないよう設定される番号等を含めることができる。
【０１９４】
また、そのスクラッチカードＨ〜Ｈ´´、及び、８の用途により、上記した番号等のみならず、文字、図形、マークその他、個人及びそのスクラッチカードＨ〜Ｈ´´、及び、８の供給者が共通に認識できるもの（この対象は、いわゆる「情報」全てとなる。）であれば何れも用いることができる。
【０１９５】
そして、その認識方法も、少なくとも目視確認により認識できる情報を有しながら、目視以外の認識方法、例えば、光学読取方法、磁気的読取方法、その他、あらゆる物理的もしくは化学的読取方法を採用することができ、且つ、秘密情報と重ねて視認できるレリーフホログラム再生像の中にも、マシンリーダブルホログラム等の、ホログラム再生原理を利用した光学読取方法を含めることもその偽造防止性を高めるために好適である。（認識方法や手段は図示せず。）
これらの「秘密情報」２をスクラッチカードＨ〜Ｈ´´、及び、８のカード基材１上、もしくは、カード基材１の接着層６上に設ける方法としては、可変情報を形成する方式として、感熱溶融転写方式、昇華転写方式、光学的もしくは物理的直接描画方式、電子写真方式及び、インクジェット方式等があり、固定情報を形成する方式としては、グラビア印刷方式、オフセット印刷方式、活版印刷方式、凹版印刷方式、スクリーン印刷方式等がある。（図１〜図７参照。）
もちろん、電子端末のディスプレー上に「秘密情報」２を表示するものであってもよい。
【０１９６】
また、カード基材１そのものや、カード基材１の接着層６を発色材料や消色材料で構成し、その発色原理や消色原理を用いて、可変情報や固定情報を記録する方法を用いてもよい。
【０１９７】
すなわち、電子供与性ロイコ染料と電子受容性顕色剤とを含有する感熱発色材料からなるカード基材１や、そのカード基材１を構成する基紙となる紙材料やフィルム材料上に、電子供与性ロイコ染料と電子受容性顕色剤とを含有する感熱発色層を設けたもの、さらには、それらの基紙上に、カプセル内包の発色剤と顕色剤とからなる感圧発色層を設けたものを、カード基材１もしくは、カード基材１とその接着層６として用いることができる。
【０１９８】
また、発色と消色を繰り返して操作できる、感温材料等を用いたサーマルリライタブル層や、フルギド系やスピロピラン系などのフォトクロミック材料等を用いる光リライタブル層を同様の目的で、さらには、別の位置に単なる情報表示の目的で設けることも、その意外性や偽造防止性が高まり、好ましい。
【０１９９】
特に、これらの「リライタブル層」を設けて、「秘密情報」２を表示させると、正規購入者が、その「秘密情報」２を確認するときのみ「秘密情報」２が現れ、それ以外のときには「非表示」とすることで、不要な第三者による「秘密情報」２の視認を阻止することができる。（カード基材１の種々の構成は図示せず。）
感熱発色材料としては、発色剤、顕色剤、及び、増感剤からなる系を用いることができ、発色剤としては、ベンゾイルロイコメチレンブルー、クリスタルバイオレットラクトン等のフタリド化合物等、顕色剤としては、４−４´ビフェノール、１−ナフトール等の酸など、さらに、増感剤としては、４−ベンジルビフェニル、フルオレン等を用いる。
【０２００】
感熱記録とは，基紙上の層に分散させた発色剤及び顕色剤を熱により溶融させ、接触させることにより発色させる仕組みである。その高感度化のために、低融点の増感剤を添加するが、様々な酸発生方法とこの発色機構を組み合わせることにより、繰り返しの書き込みや消去が可能なリライタブル感熱記録を実現できるものである。例えば、低い熱エネルギーにて発色する赤色感熱記録層と，高い熱エネルギーにて発色する黒色感熱記録層を積層させることにより，その印加エネルギーを使い分けることで赤／黒２色での記録を可能にする２色発色感熱記録材料を用いてもよい。
【０２０１】
これらのロイコ系感熱発色材料や、フォトクロミック系光発色材料は、その発色機構である「紫外領域または赤外領域→可視領域への変化」を、「可視領域→紫外領域または赤外領域への変化」とすべく材料選定をすることにより、消色記録材料として用いることができる。
【０２０２】
このような消色機構を用いると、正規購入者が、その「秘密情報」２を確認した後、正規購入者の判断により、速やかに、もしくは、適宜なタイミングで、「秘密情報」２を消色（消去）することを可能とし、その偽造防止性を高めることを可能とする。
【０２０３】
このようにしてカード基材１上に「秘密情報」２形成部を設け、その「秘密情報」２形成部を覆うように、もしくは、カード基材１上の接着層６上に「秘密情報」２形成部を設け、その「秘密情報」２形成部を覆うように、スクラッチ隠蔽層３を設ける。（図１〜図４参照。）
但し、これらの発色、または、消色機構を用いる場合には、上記したカード基材１への埋め込み条件下ではそれらの変化を示さない材料を使用するか、または、その条件下で変化したとしても、常温に戻すことで元に戻る可逆変化性を有する材料を使用する。
（接着層）
本発明のスクラッチカードＨ〜Ｈ´´、及び、８のカード基材１上に、上記した「秘密情報」２形成部を覆うように接着層６を設ける。（図３、及び図４参照。）
このことは、もちろん、本発明のスクラッチカードＨ〜Ｈ´´、及び、８のカード基材１上に、接着層６を設けた後、その接着層６の上に、上記した「秘密情報」２形成部を設ける手順を採用することを排除するものではない。（図示せず。）
本発明のスクラッチカードＨ〜Ｈ´´、及び、８の接着層６を構成するための透明樹脂層に用いられる樹脂材料としては、各種の熱可塑性樹脂、熱硬化性樹脂、もしくは電離放射線硬化性樹脂を用いることができる。
【０２０４】
特には、上記したカード基材１への埋め込み条件下において、変形し難い、耐熱性に優れる熱硬化性樹脂や電離放射線硬化樹脂が好ましい。
【０２０５】
熱可塑性樹脂としてはアクリル酸エステル樹脂、すなわち、ポリメチルメタクリレート（屈折率ｎ＝１．４９）、ポリメチルアクリレート（ｎ＝１．４７）、ポリベンジルメタクリレート（ｎ＝１．５７）、ポリブチルアクリレート（ｎ＝１．４４）、ポリイソブチルアクリレート（ｎ＝１．４８）等、セルロース系樹脂、すなわち、硝酸セルロース（ｎ＝１．５４）、メチルセルロース（ｎ＝１．５０）、セルロース・アセテートプロピオネート（ｎ＝１．４７）等、ビニル系樹脂、すなわち、ポリ酢酸ビニル（ｎ＝１．４７）、ポリ塩化ビニル・酢酸ビニル（ｎ＝１．５４）等、アクリルアミド樹脂（ｎ＝１．５０）、もしくはポリスチレン樹脂（ｎ＝１．６０）等が、また、熱硬化性樹脂としては、不飽和ポリエステル樹脂（ｎ＝１．６４）、アクリルウレタン樹脂（ｎ＝１．６０）、エポキシ変性アクリル樹脂（ｎ＝１．５５）、メラミン樹脂（ｎ＝１．５６）、エポキシ変性不飽和ポリエステル樹脂（ｎ＝１．６４）、アルキッド樹脂（ｎ＝１．５４）、フェノール樹脂（ｎ＝１．６０）、シリコン樹脂（ｎ＝１．４１〜１．６０）、もしくは、フッ素化樹脂（ｎ＝１．３５〜１．３８）等が挙げられる。（図１〜図４参照。）
これらの熱可塑性樹脂および熱硬化性樹脂は、１種もしくは２種以上を使用することができる。これらの樹脂の１種もしくは２種以上は、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。
【０２０６】
また、電離放射線硬化性樹脂としては、エポキシアクリレート、ウレタンアクリレート、アクリル変性ポリエステル等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。
【０２０７】
また、上記の熱可塑性樹脂、もしくは熱硬化性樹脂に、シリコン樹脂やフッ素含有樹脂、さらには、シリコンオイルを混合したもの、または、熱可塑性樹脂、もしくは熱硬化性樹脂とシリコン樹脂やフッ素含有樹脂を共重合させたものや、熱可塑性樹脂、もしくは熱硬化性樹脂の分子内にシロキサン結合〔―Ｓｉ（Ｒ1）（Ｒ2）−Ｏ―〕やフッ素原子〔−Ｆ〕を導入したものを用いることができる。
さらには、上記の熱可塑性樹脂、もしくは熱硬化性樹脂に、シリコンパウダー微粒子やフッ素パウダー微粒子を分散させたものを用いることもできる。
【０２０８】
フッ素化樹脂には、完全フッ素化樹脂として、四フッ素化樹脂、部分フッ素化樹脂として、三フッ素化樹脂、ポリフッ化ビニリデン、ポリフッ化ビニル、フッ素化樹脂共重合体として、ペルフルオロアルコキシフッ素樹脂、四フッ化エチレン・六フッ化プロピレン共重合体、エチレン・四フッ化エチレン共重合体、エチレン・クロロトリフルオロエチレン共重合体などを用いることができる。
（スクラッチ隠蔽層、ホログラムレリーフ、及び地紋印刷）
本発明のスクラッチカードＨ〜Ｈ´´、及び８のカード基材１上に「秘密情報」２形成部を設け、その「秘密情報」形成部を覆うように、もしくは、そのカード基材１の上に設けてある接着層６の上に、または、その接着層６の上に設けた「秘密情報」２形成部を覆うように、スクラッチ隠蔽層３を設ける。（図１〜図４参照。）
本発明のスクラッチカードＨ〜Ｈ´´のスクラッチ隠蔽層３に用いるインキ組成物としては、熱可塑性樹脂や、熱硬化性樹脂を用いることができる。
【０２０９】
特には、上記したカード基材１への埋め込み条件下において、変形し難い、耐熱性に優れる熱硬化性樹脂が好ましい。
【０２１０】
熱可塑性樹脂としては、エチルセルロース、硝酸セルロース、エチルヒドロキシエチルセルロース、セルロースアセテートプロピオネート、酢酸セルロース等のセルロース誘導体、ポリスチレン、ポリ−α−メチルスチレン等のスチレン樹脂、あるいはスチレン共重合樹脂、ポリメタクリル酸メチル、ポリメタクリル酸エチル、ポリアクリル酸エチル、ポリアクリル酸ブチル等のアクリル酸エステルまたはメタクリル酸エステルの単独あるいは共重合体、ポリ塩化ビニル、ポリ酢酸ビニル、塩化ビニル−酢酸ビニル共重合体、ポリビニルブチラール樹脂、ポリブタジエン、スチレン−ブタジエン共重合体、アクリロニトリル−ブタジエン共重合体等のビニル共重合体、ロジン、ロジン変性マレイン酸樹脂、重合ロジン等のロジンエステル樹脂、クマロン樹脂、ビニルトルエン樹脂、ポリアミドや、ポリイミド等を挙げることができる。また、スクラッチオフ性を満足する範囲でこれらの樹脂に硬化剤等を混合して、擦れ等によるスクラッチ隠蔽層３の最表面の不要な剥離や、剥がれを防止してもよい。（図１〜図４参照。）
また、熱硬化性樹脂としては、シリコン樹脂、メラミン樹脂、ポリウレタン、フェノール樹脂、ロジン変性フェノール樹脂、エポキシ樹脂や、不飽和ポリエステル樹脂等をあげることができ、シリコン樹脂として、シリコンゴム（シロキサン結合が５０００〜１００００の直鎖構造分子。）や、ケイ素樹脂、ゴム系天然樹脂として、天然ゴム、塩酸ゴム、ポリイソプレン、ポリクロロプレン等を用いることができる。
【０２１１】
さらには、スクラッチオフするという行為における環境影響を考慮して、スクラッチ隠蔽層３に用いるインキ組成物として、生分解性プラスチックを用いることも好適である。
【０２１２】
生分解プラスチックとしては、化学合成系として、εーカプロラクトン等のラクトン系樹脂、ポリブチレンサクシネート−アジペート等のポリブチレンサクシネート系樹脂、ポリ乳酸等、低分子量脂肪族ジカルボン酸と低分子量脂肪族ジオールより合成したポリエステル樹脂等、変性ポリビニルアルコールと脂肪族ポリエステル樹脂と澱粉の混合物等、または、低分子量脂肪族ポリエステルに脂肪族イソシアネートを添加して重合させたものなどが、また、天然物系として、ゼラチンなどの動物性天然物質、セルロースなどの植物性天然物質など、または、ポリヒドロキシブチレート等の微生物生産系物質などが好適である。
【０２１３】
スクラッチ隠蔽層３に用いるインキ組成物としては、これらの樹脂成分を含む固形分全体に対して、隠蔽性とスクラッチ性を付与するために、金属系微粉末（アルミニウム粉末、黄銅微粉末、銅微粉末等）やそれらの酸化微粉末、窒化微粉末、その他の化合物微粉末等の顔料成分を２０〜８０％含有するものを用いる。
【０２１４】
また、スクラッチ隠蔽層３の隠蔽性をさらに向上させるために、硫酸バリウム、炭酸カルシウム等の隠蔽性の強い顔料成分を１〜１０％含有させてもよい。スクラッチ隠蔽層３用インキ組成物を以上の組成物から構成することにより、印刷適性とスクラッチ性との双方を満足することができるようになる。
【０２１５】
スクラッチ隠蔽層３は、この組成物を適宜な溶剤で希釈したものを、カード基材１、もしくは、カード基材１の接着層６上に、または、その接着層６を覆うように、そして、ホログラムレリーフ４の凹凸を埋めるように、、オフセット印刷方式、グラビア印刷方式、スクリーン印刷方式、凹版印刷方式、インクジェット印刷方式等の印刷方式を用い、乾燥後の厚さとして、５μｍ〜５０μｍ、さらには１０μｍ〜３０μｍの厚さで形成する。（図１〜図４参照。）
さらに、スクラッチ隠蔽層３用インキ組成物として、金属ペースト、樹脂材料及び助剤を、水と低級アルコールに分散せしめて水性エマルジョンインキとしたものも使用でき、特に、接着層２の上にスクラッチ隠蔽層３を設ける手順とする場合に、その接着層２の表面に不要な変形や変質を与えないため好適である。
【０２１６】
その金属ペーストの金属としては、銅と亜鉛の合金であるブロンズパウダーや、アルミニウムパウダーを用いる。また、アルミニウムを微粉末化して、脂肪酸等で表面を処理したものを沸点の高い炭化水素溶剤（ ミネラルスピリットなど）でペースト状にしたアルミニウムペーストとしてもよい。
【０２１７】
これに、一般の印刷インキに使用する黄、マゼンタ、シアンまたは墨用の着色顔料、チタン白等体質顔料を、適宜、含めて着色タイプとしてもよい。
【０２１８】
その樹脂材料としては、ポリウレタン系樹脂、ポリアクリロニトリル系樹脂や、ポリアクリル酸系樹脂等を用いることができ、このこれら樹脂材料のエマルジョンをインキ組成物の２５ 〜５０％としてアルミニウムペーストや、着色顔料などに、１０〜３５％の水と５％未満のイソプロピルアルコールを加えて攪拌して水性のエマルジョンインキとするものである。これに消泡剤や界面活性剤、もしくは防腐剤等の助剤を０．１〜３％添加することもできる。
【０２１９】
この水性エマルジョンインキ組成物を用いたスクラッチ隠蔽層３の形成は、グラビア印刷法、スクリーン印刷法あるいはアニロックスローラーを介して印刷するフレキソ印刷法などが全面印刷あるいは部分印刷に好適な方法として適用され得る。
【０２２０】
また、スクラッチ隠蔽層３用インキ組成物として、層内にて凝集破壊し易い脆弱性の樹脂を溶剤に溶かしたものに、隠蔽性の顔料としてアルミニウム粉末（銀色）、真鍮粉末（金色）、銅粉末（赤色）など金属粉末、あるいはタルク、カオリンなどの白色の体質顔料を混合したもの、あるいは、これに適宜色の着色顔料や染料を混合して着色したものを使用できる。
【０２２１】
その凝集破壊し易い樹脂としては、異種の樹脂を適宜な配合比率でブレンドしたブレンド樹脂が使用でき、例えば、ポリエチレン、エチレン−酢酸ビニル共重合体（ＥＶＡ）、ポリプロピレン、ポリスチレン、スチレン系重合体、スチレン−ブタジエンゴム、各種ワックス、ロジン、テルペン系樹脂、テルペン系重合体などの樹脂のうちのいずれか２種以上を適宜比率にて配合したブレンド樹脂が使用できる。
【０２２２】
この樹脂を溶解する溶剤としては、トルエン、メチルエチルケトン、メチルイソブチルケトン、キシレン、シクロヘキサノール、酢酸イソブチル、シクロヘキサン、メチルシクロヘキサノン、エチレングリコールモノブチルエーテルなどのグリコール誘導体など、又はこれらの混合溶剤が使用できる。
【０２２３】
スクラッチ隠蔽層３用インキ組成物に用いられる顔料としては、さらに、有機顔料として、キナクリドン系レッド・マゼンタ、アンスラキノン系レッド・イエロー、ポリアゾ系イエロー、ベンズイミダゾロン系イエロー・オレンジ、フタロシアニン系顔料として、銅フタロシアニンブルー（α型、β型）、銅フタロシアニングリーン、異種金属フタロシアニンブルー、スレン系ブルー、アゾ系顔料として、溶性アゾ顔料（カーミン６Ｂ、パーマネントレッド２Ｂ他）、不溶性アゾ顔料（ジスアゾ系、モノアゾ系他）、不溶性多環式顔料（赤：キナクリドン、ペリレン、ジケトピロロピロール、橙：ペリノン、ペリレン、ジケトピロロピロール、黄：キノフタロン、イソインドリノン、緑：フタロシアニン、青：フタロシアニン、インダンスレン、紫：ジオキサジン他）、不溶性レーキ顔料（赤：レーキレッドＣ、ウォチュングレッド他）等がある。
【０２２４】
無機顔料としては、複合酸化物系顔料、微粒子複合酸化物系顔料、紺青、ハイブリッド型顔料等があるが、さらに、弁柄、モリブデンレッド、カドミウムレッド、鉛丹（以上、赤色。）、黄鉛（赤口）、モリブデンオレンジ（橙色）、カドミウムオレンジ（橙色）、群青（ウルトラマリンブルー）、紺青（プルシアンブルー）、コバルトブルー、セルリアン、マンガン青（以上、青色。）、アンバー（茶色。）、黄鉛、カドミウムイエロー、チタン黄、黄色酸化鉄（以上、黄色。）、酸化クロム、コバルトグリーン、ビリジアン、ピーコック（以上、緑色。）、マルス紫、コバルトバイオレット、マンガンバイオレット（以上、紫色。）その他、体質顔料や、金属粉顔料等が用いられる。
【０２２５】
これらの顔料の粒径を、平均粒子径１．０μｍ〜１０μｍの顔料群、もしくは、平均粒径０．０１μｍ〜０．１μｍの微粒子顔料群として仕上げる。特に、微粒子顔料群は、二次凝集しやすく、再分散処理等を施す必要がある。
【０２２６】
さらに、スクラッチ隠蔽層３を接着層６上に設ける際、この接着層６を覆うように設けて、その接着層６の断面が露出することを防ぎ、接着層６の存在をさらに秘匿することができる。（図示せず。）
その際、スクラッチ隠蔽層３の接着層６からはみ出す部分は、カード基材１面と直接、接着することとなる。
【０２２７】
従って、この場合には、スクラッチ隠蔽層３用インキ組成物として、カード基材１、及び、カード基材１上に設けた種々の印刷表示部等との接着性をも考慮して材料選定を行う。
【０２２８】
さらに、この「はみ出す部分」は、特にスクラッチオフ適正を持つ必要がないため、カード基材１に強固に接着させて、スクラッチ隠蔽層３のスクラッチオフの際に、カード基材１上に残る部分として設計してよい。
【０２２９】
特に、その固着して残る部分を、「所定のパターン状」、すなわち、「不正」、「覗き見」、「削り済み」や「開示」等の「既に削られたことを示す文字や情報を表すパターン状」としてその偽造防止性を高めることができる。
【０２３０】
この目的でのスクラッチ隠蔽層３の形成は、上記と同様の印刷方式等を用いることができる。
【０２３１】
但し、上記した「所定のパターン状」での固着部分を設けるため、スクラッチ隠蔽層３の形成を２段階に分け、その第一段階として、その「所定のパターン状」にあらかじめ、２液硬化型の樹脂材料における硬化剤等を所定の割合の２倍〜５倍程度添加したスクラッチ隠蔽層３用インキ組成物で、一旦、目的の厚さより薄く設けておき（例えば、目的の厚さの１／５〜３／５等。）、第二段階において、その「所定のパターン状」部分を覆うように（他の部分を埋めるように。）、残りの厚さだけ、スクラッチ隠蔽層３用インキ組成物を上乗せする方法を用いてもよい。
【０２３２】
ホログラムレリーフ４を有するスクラッチ隠蔽層３を形成するには、感光性樹脂材料にホログラムの干渉露光を行なって現像することによって直接的に形成することもできるが、予め作成したレリーフホログラムもしくはその複製物、またはそれらのメッキ型等を、ホログラムレリーフ４の複製用型として用い、その型面を、上記材料によるプレス成型、射出成型や、ブロー成型等にて作成したスクラッチ隠蔽層３、適宜なフィルム上に作成したスクラッチ隠蔽層３や、カード基材１に埋め込んだスクラッチ隠蔽層３に押し付けることにより、賦型を行ない、ホログラムレリーフ４面を形成する。（図１〜図３参照。）
もちろん、カード基材１上に、スクラッチ隠蔽層３を埋め込んで、スクラッチ隠蔽層３の最表面と、カード基材１の表面を「面一」、もしくは、スクラッチ隠蔽層３の最表面を、カード基材１の表面より、所定の深さだけ、「凹んだ状態」とした後に、そのスクラッチ隠蔽層３の最表面のみならず、その周辺のカード基材１面にも同時にホログラムレリーフ４を形成することができる。（図示せず。）
スクラッチ隠蔽層３の材料に、熱硬化性樹脂や電離放射線硬化性樹脂を含める場合には、型面に未硬化の樹脂を密着させたまま、加熱もしくは電離放射線照射により、硬化を行わせ、硬化後に剥離することによって、硬化した透明樹脂層の片面にレリーフホログラムの微細凹凸を形成することができ、この微細凹凸がホログラムレリーフ４となる。
【０２３３】
なお、同様な方法によりパターン状に形成して模様状とした回折格子を有する回折格子形成層も光回折構造（すなわち、スクラッチ隠蔽層３のホログラムレリーフ４。）として使用できる。
【０２３４】
ホログラムは、物体光と参照光との光の干渉による干渉縞を凹凸のレリーフ形状で記録されたもので、例えば、フレネルホログラムなどのレーザ再生ホログラム、及びレインボーホログラムなどの白色光再生ホログラム、さらに、それらの原理を利用したカラーホログラム、コンピュータジェネレーテッドホログラム（ＣＧＨ）や、ホログラフィック回折格子などがある。また、マシンリーダブルホログラムのように、その再生光を受光部でデータに変換し、「秘密情報」２として、もしくは、「秘密情報」２の一部構成情報として伝達したり、真偽判定を行うものであってもよい。
【０２３５】
特に、ホログラフィック回折格子、レインボーホログラムや、カラーホログラムは、照明光の色分離特性が大きいため、スクラッチ隠蔽層３をスクラッチオフした際に、一瞥してその存在を知らしめることができ、好適である。（図示せず。）
さらに、微細な凹凸（すなわち、ホログラムレリーフ４。）を精密に作成するため、光学的な方法だけでなく、電子線描画装置を用いて、精密に設計されたレリーフ構造を作り出し、より精密で複雑な再生光を作り出すものであってもよい。このレリーフ形状は、ホログラムを再生する光、もしくは、光源の波長（域）と、再生する方向、及び強度によってその凹凸のピッチや、深さ、もしくは特定の周期的形状が設計される。凹凸のピッチ（周期）は再生角度に依存し、通常０．１μｍ〜数μｍであり、凹凸の深さは、再生強度に大きな影響を与える要素であって、通常０．１μｍ〜２μｍである。
【０２３６】
単一回折格子のように、全く同一形状の凹凸の繰り返しであるものは、隣り合う凹凸が同じ形状であればある程、反射する光の干渉度合いが増しその強度が強くなり、最大値へと収束する。回折方向のぶれも最小となる。立体像のように、像の個々の点が焦点に収束するものは、その焦点への収束精度が向上し、再生像が鮮明となる。
【０２３７】
また、ホログラムレリーフ４面にホログラム画像の凹凸とは異なる周期や、形状の凹凸が存在すると、それはホログラムもしくは回折格子の再生時のノイズとなり、像を不鮮明にする要因となる。
【０２３８】
ホログラムレリーフ４形状を賦形（複製ともいう）する方法は、回折格子や干渉縞が凹凸の形で記録された原版をプレス型（スタンパという）として用い、上記スクラッチ隠蔽層３上に、原版を重ねて加熱ロールなどの適宜な手段により、両者を加熱圧着することにより、原版の凹凸模様を複製することができる。形成するホログラムパターンは単独でも、複数でもよい。
【０２３９】
上記の極微細な形状を精密に再現するため、また、複製後の熱収縮などの歪みや変形を最小とするため、原版は金属を使用し、低温、且つ、高圧下で複製を行うことが望ましい。
【０２４０】
原版は、Ｎｉなどの硬度の高い金属を用いる。光学的撮影もしくは、電子線描画などにより形成したガラスマスターなどの表面にＣｒ、または、Ｎｉ薄膜を真空蒸着法、スパッタリングなどにより５〜５０ｎｍ形成後、Ｎｉなどを電着法（電気めっき、無電解めっき、さらには複合めっきなど）により５０〜１０００μｍの厚さで形成した後、それらの金属を剥離することで作ることができる。
【０２４１】
高圧回転式の複製に用いるためには、このＮｉ層の厚み精度を高くする必要があり、通常±１０μｍ、好ましくは、±１μｍとする。このため、裏面の研磨や、平坦化方法を用いてもよい。
【０２４２】
複製方式は、高圧とするため、１０7〜１０11Ｐａの圧力を掛ける平板式でもよいが、好ましくは、回転式を用い、線圧１０2ｋｇ／ｍ〜１０6ｋｇ／ｍ、好ましくは、５×１０4ｋｇ／ｍ以上とする。複製用シリンダーは、その直径が小さいとレリーフの再現性が低下するため、複製シリンダー直径は大きい方が好ましく、通常、直径０．１ｍ〜２．０ｍ、好ましくは、１．０ｍ以上の弧を使用する。
【０２４３】
スクラッチ隠蔽層３をこの複製用シリンダーに沿って押し当て、裏面より金属製シリンダーにより上記圧力にて複製を実施する。複製後の熱収縮などの歪みや変形を最小限とするためには、接着層３全体を加熱するのではなく、スクラッチ隠蔽層３のホログラムレリーフ４面側の一部のみを加熱する方法が望ましい。通常６０℃〜２５０℃に加熱する（平板式も同様。）。さらには、裏面の金属製シリンダーを常温に保つ、もしくは冷却することで、さらにその精度を向上させることができる。
【０２４４】
これらのスクラッチ隠蔽層３の上に、本発明のスクラッチカードＨ〜Ｈ´´、及び８の用途に応じたデザインにより、オフセット印刷や、グラビア印刷等を用いて、１．０〜１０．０μｍの厚さで地紋印刷７を施す。（図７参照。幾何学模様の地紋印刷７を施している。）
スクラッチ隠蔽層３の上に、この地紋印刷７以外の通常デザイン（主要なデザイン模様等）の印刷を施し、その意匠性を高めることができることは言うまでもない。
【０２４５】
さらに、スクラッチ隠蔽層３の上に、または、スクラッチ隠蔽層３及び地紋印刷７の上に、セルロース系樹脂、ポリエステル系樹脂、ビニル系樹脂、エポキシ系樹脂、アクリル系樹脂、これらの共重合体さらには電離放射線硬化樹脂等の保護層を、感熱溶融転写方式、昇華転写方式、インクジェット方式で、１〜３μｍ厚さに形成して、「秘密情報」２の隠蔽をさらに強化してもよい。（図示せず。この際には、スクラッチ隠蔽層３の屈折率と、保護層の屈折率の差を、０．３以上、さらに好ましくは、０．５以上とする必要がある。）
但し、スクラッチ隠蔽層３の表面が、上記したように、ホログラムレリーフ４面となっているため、この微細な凹凸に追従して印刷可能なインクジェット方式や、この微細な凹凸に影響され難い感熱転写方式、もしくは、昇華転写方式を用いて地紋印刷７を行ってもよい。さらに、このような感熱転写方式、もしくは、昇華転写方式を用いて、スクラッチ隠蔽層３の微細な凹凸の凸部のみに印刷を行い、不正なスクラッチにより非常に容易に地紋印刷７が破壊されるようにすることもできる。
【０２４６】
特に、昇華転写方式を用いると、その昇華染料が、スクラッチ隠蔽層３を構成する樹脂層にのみ浸透し、独特の風合いを醸し出すことができ、ホログラムレリーフ４から再生されるレリーフホログラム再生像に独特の風合いを付加することとなって、その意匠性、及び偽造防止性の向上につながり、好適である。
【０２４７】
また、この地紋印刷７を、スクラッチ隠蔽層３と接着層６との間にも設け（この場合には、接着層６上に地紋印刷７を設け、その上にスクラッチ隠蔽層３を設け、さらに、そのスクラッチ隠蔽層３上に地紋印刷７を、再度、設けるなどの手順となる。）、且つ、そのデザイン及び、形成位置をスクラッチ隠蔽層３の上下で同一とすることで、スクラッチ隠蔽層３を削った際に、その地紋デザインが、連続したデザインとして視認できるようにすることも、その意外性や偽造防止性を高めるため好適である。（図示せず。）
（反射性薄膜層）
本発明のスクラッチカードＨ〜Ｈ´´のスクラッチ隠蔽層３のホログラムレリーフ４に接して、且つ、追従するように反射性薄膜層５を形成する。この反射性薄膜層５は、入射した光を反射する必要があるため、高い屈折率を有する薄膜層であれば、さらには、スクラッチ隠蔽層３の屈折率より高い屈折率を有する薄膜層であれば、特に限定されない。（図２、及び３参照。）
但し、ホログラムレリーフ４が、スクラッチ隠蔽層３及びその周辺のカード基材１上に設けてある場合には、その両方に跨って反射性薄膜層５を形成してもよい。（図示せず。）
反射性薄膜層５としては、真空薄膜法などにより形成される金属薄膜などの金属光沢反射層、または透明反射層のいずれでもよいが、金属光沢反射層の場合には、「秘密情報」２を視認可能とする目的で、金属光沢反射層の「秘密情報」２に該当する領域を開口部とした「部分形成」とする。透明反射層の場合は、「全面形成」であっても、「部分形成」としてもよい。（図示せず。）
反射性薄膜層５の形成には、真空薄膜法等の物理的薄膜形成方法や、メッキ等の化学的薄膜形成方法を用いることができ、その厚さとして、１０〜２０００ｎｍ程度、好ましくは２０〜１０００ｎｍの厚さになるように設ける。
【０２４８】
透明反射層としては、ほぼ無色透明な色相で、その光学的な屈折率が接着層６のそれとは異なることにより、金属光沢が無いにもかかわらず、ホログラムなどの光輝性を視認できることから、透明なホログラムを作製することができる。
【０２４９】
例えば、接着層６よりも光屈折率の高い薄膜層には、例として、ＺｎＳ、ＴｉＯ2、Ａｌ2Ｏ3、Ｓｂ2Ｓ3、ＳｉＯ、ＳｎＯ2、ＩＴＯなどがある。
【０２５０】
好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｔｉ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕなどの酸化物または窒化物他はそれらを２種以上を混合したものなど（透明金属化合物）が例示できる。
【０２５１】
またアルミニウムなどの一般的な光反射性（可視光波長のほぼ全域にわたる反射、すなわち、「全反射」に近い性質を有する。）の金属薄膜も、厚みが２０ｎｍ以下になると、透明性が出て使用できる。
【０２５２】
透明反射層（透明金属化合物層）の形成は、金属の薄膜と同様、１０〜２０００ｎｍ程度、好ましくは２０〜１０００ｎｍの厚さになるよう、蒸着、スパッタリング、イオンプレーティング、ＣＶＤ（化学蒸着法）などの真空薄膜法などにより設ければよい。特にＣＶＤ法は接着層６への熱的ダメージが少ない。また、他の薄膜形成法を用いても、形成する薄膜層を薄くしておくと、その熱的ダメージを少なくすることができる。例えば、アルミニウム蒸着層であれば、形成条件によるが、厚さにして、ほぼ２０ｎｍのものあたりが、透明性が無くなり全反射性を出現する臨界点である。この厚さは薄膜材料、形成方法、金属加熱温度・真空度等の形成条件により異なる。
【０２５３】
このようにして形成した本発明のスクラッチカードＨ〜Ｈ´´、及び８を、通常の照明光下で、観察したところ、鮮明なホログラム再生像を視認できるスクラッチ層を有する「スクラッチカード」であると判断できたが、そのスクラッチ隠蔽層３の下に隠されていると推定される「秘密情報」２は、全く視認できないものであった。（図１〜図４、及び図６参照。）
この際、カード基材１上の所定の位置に、「秘密情報」２として、連続数字１〜８が印字されており（図５参照。図５には、その所定の位置を示す枠が便宜上表示されている。）、その「秘密情報」２を覆うように、接着層６及びスクラッチ隠蔽層３、さらには、反射性薄膜層５が設けられ、そして、埋め込まれることとなる。（図１〜図４参照。）
また、本発明のスクラッチカード８のスクラッチ隠蔽層３上に、幾何学模様からなる地紋印刷７を施した。（図６参照。）
いずれの場合も、目視では、スクラッチ隠蔽層３で覆われた「秘密情報」２を、視認することはできない状態であった。
【０２５４】
そして、本発明のスクラッチカードＨ〜Ｈ´´、及び８のスクラッチ隠蔽層３、もしくは、地紋印刷７とスクラッチ隠蔽層３を、コインを用いて部分的に削り取ると、その削り取った領域から、その下に隠れていた「秘密情報」２を視認できたが、このようなスクラッチカードＨ〜Ｈ´´、及び８を偽造することは非常に困難であると思われた。
【実施例】
【０２５５】
以下、実施例及び比較例により、本発明を更に詳細に説明するが、これに限定されるものではない。
（実施例１）
スクラッチカード８のカード基材１として、厚さ５６０μｍの硬質塩化ビニルシートを、厚さ１００μｍの軟質塩化ビニルシート２枚で挟み込み、総厚さ７６０μｍの３層積層塩化ビニルシート（クレジットカードサイズ）を用いる。
【０２５６】
所定のデザイン印刷は、その硬質塩化ビニルシート上にオフセット印刷にて施した後、所定のラミネート条件にて、３層積層体とした。（図１及び、図４参照。カード基材１の積層状況は図示せず。）
このカード基材１上の所定の位置に、インクジェットプリンターにて、「秘密情報」２として、「１２３４５６７８」の番号（各数字文字の高さ４ｍｍ、幅２ｍｍ、文字間隔１ｍｍ。）を印字した。（図５参照。図５には、所定の位置を囲む「枠」を表示している。）
次いで、カード基材１上、及び、その上に設けた「秘密情報」２を覆うように、そのカード基材１のタテ１０ｍｍ×横３０ｍｍのサイズの領域（上記した「枠」に相当する領域。）に、下記組成のスクラッチ隠蔽層３用インキ組成物を、ステンレススクリーン印刷方式にて形成し、乾燥後の厚さとして、スクラッチ隠蔽層３を２０μｍの厚さで形成し、表面を鏡面仕上げしたステンレス板に挟みこみ、１２０℃、１０6Ｐａ、及び６０分の加熱及び加圧処理、そして、その後、３０分の冷却処理（水冷方式にて、常温まで冷却後、常圧とした。）を施して、スクラッチ隠蔽層３の最表面とカード基材１の表面を「面一」とした。（この中間的な状態は、図示せず。）
・＜スクラッチ隠蔽層３用インキ組成物＞
アクリロニトリル−ブタジエン共重合体                                  ２０部
アクリル樹脂                                                            ５部
顔料ノンリーフィングアルミペースト  アルミニウム微粉末                ４０部
顔料リーフィングアルミペースト  アルミニウム微粉末                    １０部
イソシアネート系硬化剤                                                  １部
トルエン                                                              １０部
酢酸エチル                                                              ５部
エチルセルソルブ                                                        ９部
そのカード基材１の所定の位置に形成し、埋め込んであるスクラッチ隠蔽層３（タテ１０ｍｍ×横３０ｍｍのサイズの領域）に、レーザ光学系を用いて撮影した意匠性の高いホログラム（レリーフホログラム）を備えたＮｉ原版を用意し、その領域に、そのＮｉ原版のレリーフ面を位置合わせをして接触させ、回転式レリーフホログラム形成装置（原版シリンダー径１．０ｍ、原版面温度１５０℃、加圧シリンダー径０．３ｍ、水冷式、圧力２００００ｋｇ／ｍ、複製速度１０ｍ／分）にて、ホログラムレリーフ４（Ｎｉ原版のレリーフ形状）をスクラッチ隠蔽層３上に形成して、実施例１のスクラッチカードＨ、もしくは、８を得た。（図１及び図５参照。図４における、「秘密情報」２を囲む枠が、その領域に相当する。図４において、カード基材１上の所定の位置にある「領域」には、「秘密情報」２以外に、「３〜６」でなく、「３〜４」が設けられている。）
この実施例１のスクラッチカードＨ、もしくは８を、通常の蛍光灯下で観察したところ、スクラッチカードＨ、もしくは８上にて、「銀色の埋め込まれた印刷層の表面から鮮明な意匠性の高いホログラム（レリーフホログラム）再生像」を観察でき、その下に形成されている、「秘密情報」２の存在を窺い知ることはできなかった。（図１及び図４参照。）
次いで、このスクラッチカードＨ、もしくは８上の、「その表面から鮮明な意匠性の高いホログラム（レリーフホログラム）再生像が出現している領域」である「銀色の埋め込まれた印刷層」をコインで引っ掻くと、スクラッチ隠蔽層３が部分的に削れ、その削れた部分から、「秘密情報」２の一部を視認でき、このスクラッチカードＨ、もしくは８を偽造することは、困難と思われた。（図示せず。）
（実施例２）
実施例１のホログラムレリーフ４面上に、抵抗加熱式真空蒸着機を使用して、アルミニウム薄膜を、タテ８ｍｍ×横２８ｍｍのサイズで、その薄膜形成部分が、その「領域」内に入るように位置合わせを行い（蒸着工程における「マスキング処理」を施すことを意味する。）、５００ｎｍの厚さで形成して、反射性薄膜層５としたこと以外は、実施例１と同様にして、実施例２のスクラッチカードＨ´、もしくは８を得た。（図２、図４及び図５参照。図２では、反射性薄膜層５の最表面が、カード基材１と「面一」となっている。図４において、カード基材１上の所定の位置にある「領域」には、「秘密情報」２以外に、「３〜６」でなく、「３〜５」が設けられている。）
このスクラッチカードＨ´、もしくは８を実施離１と同様に評価したところ、ホログラムレリーフ４によるレリーフホログラム再生像「意匠性の高いホログラム」がより鮮明に出現し（図示せず。）、且つ、正規の購入者でなければ、この「キラキラ」している領域がスクラッチをする領域であるとは認識できない（反射性薄膜層５の下に、スクラッチ隠蔽層が隠されているとは気づき難いという意味。）と推定され、このスクラッチカードＨ´、もしくは８を偽造することは、より困難と思われたこと以外は実施例１と同様の良好な結果を得た。
（実施例３）
実施例２において、接着層６を、下記組成の接着層６用インキ組成物を用い、且つ、ステンレススクリーン印刷方式を用いて、カード基材１上のその「領域」に、乾燥後の厚さとして、０．５μｍの厚さで形成し、さらに、この接着層６上に、実施例２と同様の方法を用いて、スクラッチ隠蔽層３を設けたこと以外は、実施例２と同様にして、実施例３のスクラッチカードＨ´´、もしくは８を得た。（図３、図４及び図５参照。）
・＜接着層６用インキ組成物：＞
ウレタン樹脂                                                          ２５部
塩化ビニルー酢酸ビニル共重合体                                          ４部
超微粒子酸化ジルコニウム（平均粒径：０．００１μｍ）                    ６部
イソプロピルアルコール                                                ３０部
ブチルセルソルブ                                                      ３５部
このスクラッチカードＨ´´、もしくは８を実施離１と同様に評価したところ、コインでスクラッチしたときのスクラッチ安定性に優れ（スクラッチの際に、「秘密情報」２形成部の一部がスクラッチ隠蔽層３と一緒に削れてしまう等の不具合が発生し難いという意味。）、接着層６を通して「秘密情報」２を確実に、視認できたこと以外は、実施例２と同様の良好な結果を得た。（図示せず。）
（実施例４）
実施例１のスクラッチ隠蔽層３のカード基材１と接している面とは反対の面に、昇華転写プリンターにて幾何学模様からなる黄色の地紋印刷７を行ったこと以外は、実施例１と同様にして、実施例４のスクラッチカードＨを得た。（図１、及び図４〜図６参照。図１及び図４では、地紋印刷７を図示していない。）
このとき、昇華転写プリンターの印字部分、すなわち、地紋印刷７の部分はスクラッチ隠蔽層３に浸透しており、スクラッチ隠蔽層３の最表面と、地紋印刷７の表面は同一面を形成している状態となったことから、その後形成された「スクラッチ隠蔽層３のホログラムレリーフ４」の形状に何らの変形も与えていなかった。
【０２５７】
このスクラッチカードＨ、もしくは８を実施離１と同様に評価したところ、地紋印刷７が独特の風合いを呈して金色に観察され、さらに、地紋印刷７の形成によって何らの変形も生じなかったホログラムレリーフ４から再生される、鮮明な「意匠性の高いホログラム再生像」と合わさって「独特の意匠」を呈していたこと、及び、コインでスクラッチしたところ、地紋印刷７とスクラッチ隠蔽層３が同時に削れ、このスクラッチカードＨ、もしくは８の偽造が、より困難と思われたこと以外は、実施例１と同様の良好な結果を得た。（図示せず。）
（実施例５）
実施例３において、スクラッチ隠蔽層３を、一旦、表面平滑性の非常に高い（平均表面粗さＲａが０．０１μｍ。）厚さ１１μｍの透明ポリエチレンテレフタレートシート上にタテ８ｍｍ×横２８ｍｍのサイズ、且つ、厚さ、３０μｍで仮形成した後、剥離性フィルム上に転写して、剥離性フィルム上のスクラッチ隠蔽層３の露出している面の平均表面粗さＲａを０．０１μｍとし、その露出面に、Ｎｉ原版のレリーフ面を合わせて、回転式レリーフホログラム形成装置（原版シリンダー径１．０ｍ、原版面温度２００℃、加圧シリンダー径０．３ｍ、水冷式、圧力１００００ｋｇ／ｍ、複製速度２ｍ／分）にて、ホログラムレリーフ４（Ｎｉ原版のレリーフ形状）を形成し、且つ、反射性薄膜層５を形成した。
【０２５８】
そして、実施例３と同様にして、カード基材１上の所定の領域に、「秘密情報」２及び接着層６を設けた積層体の、その接着層６上に、上記の剥離性フィルムから剥離したスクラッチ隠蔽層３及び反射性薄膜層５の積層体のその剥離面（剥離性フィルムと接していたスクラッチ隠蔽層３の面。「平面状」である。）と接着層６の面が接するように貼り合わせ、そして、「秘密情報」２、接着層６、スクラッチ隠蔽層３及び反射性薄膜層５を、カード基材１に埋め込んで、実施例５のスクラッチカードＨ´´、もしくは８を得た（反射性薄膜層５の最表面がホログラムレリーフ４となり、「面一」となっている。）。（図３〜図５参照。）
このスクラッチカードＨ´´、もしくは８を、実施離３と同様に評価したところ、ホログラムレリーフ４によるレリーフホログラム再生像が、より鮮明となって視認できたとともに、コインでスクラッチした際に、比較的容易にスクラッチ隠蔽層３が削れ、このスクラッチカードＨ´´、もしくは８を偽造することは、到底、困難と思われたこと以外は、実施例３と同様の良好な結果を得た。（図示せず。）
（実施例６）
実施例１において、下記組成のスクラッチ隠蔽層３用インキ組成物を用いて、同様の方式、同様の厚さで、スクラッチ隠蔽層３を形成したこと以外は、実施例１と同様にして、実施例６のスクラッチカードＨ、もしくは８を得た。（図１、図４及び図５参照。図４において、カード基材１上の所定の位置にある「領域」には、「秘密情報」２以外に、「３〜６」でなく、「３〜４」が設けられている。）
・＜スクラッチ隠蔽層３用インキ組成物＞
アクリロニトリル−ブタジエン共重合体                                  ２０部
アクリル樹脂                                                            ５部
顔料アルミペースト  アルミニウム微粉末（平均粒径８μｍ）              ３０部
微粒子酸化ジルコニウム（平均粒径：０．０１μｍ）                      ２０部
シリコーンオイル                                                        ５部
トルエン                                                              １０部
酢酸エチル                                                              ５部
エチルセルソルブ                                                        ５部
このスクラッチカードＨ、もしくは８を実施離１と同様に評価し、さらに、そのスクラッチ隠蔽層３が設けてある部分を剥がすため、カード基材１を９０度近く湾曲させたところ、実施例１と同様の良好な結果に加え、スクラッチ隠蔽層３のスクラッチオフしていない部分に「剥離痕」が発生したことから、このスクラッチカードＨ、もしくは８の偽造が非常に困難であると思われた。（図示せず。）
（比較例）
実施例１において、スクラッチ隠蔽層３にホログラムレリーフ４を設けず、また、スクラッチ隠蔽層３をカード基材１に埋め込まず、スクラッチカードを形成したこと以外は、実施例１と同様にして比較例のスクラッチカードを得た。
【０２５９】
このスクラッチカードを実施例１と同様に評価したところ、スクラッチオフにより、「秘密情報」２を視認することはできたが、ホログラム再生像は、一切、出現せず、通常のスクラッチカードであり、また、カード基材１から飛び出しているスクラッチ隠蔽層３とカード基材１との隙間に爪を差し込むことで、スクラッチ隠蔽層３が剥離可能と推定され、容易に偽造が可能と思われた。
【符号の説明】
【０２６０】
Ｈ、Ｈ´、Ｈ´´、８  スクラッチカード
１    カード基材
２    「秘密情報」（「秘密情報」２として、「１２３４５６７８」が形成されており、        それを模式的に示している。）
３    スクラッチ隠蔽層
４    ホログラムレリーフ
５    反射性薄膜層
６    接着層
７    地紋印刷
【図１】
2015009404.tif 000003
【図２】
2015009404.tif 000004
【図３】
2015009404.tif 000005
【図４】
2015009404.tif 000006
【図５】
2015009404.tif 000007
【図６】
2015009404.tif 000008